(57)【要約】【課題】多発性骨髄腫などの種々の癌の悪性度の指標となりうる遺伝子マーカー及びその用途を提供する。【解決手段】ＰＤＺＫ１  遺伝子、ＭＣＬ１遺伝子、ＫＣＮＮ３  遺伝子、ＭＧＣ４３６５  遺伝子、ＦＬＪ２２５３０遺伝子、ＩＲＴＡ２  遺伝子、  ＦＬＪ２３２２１遺伝子、Ｓ１００Ａ６遺伝子又はＳＰＡＰ１  遺伝子の塩基配列において、連続する少なくとも１５塩基を有するポリヌクレオチド及び／又はポリヌクレオチドに相補的なポリヌクレオチドからなる薬剤耐性マーカー、ＰＤＺＫ１、ＭＣＬ１、ＫＣＮＮ３、ＭＧＣ  ４３６５、ＦＬＪ２２５３０、  ＩＲＴＡ２  、ＦＬＪ２３２２１、Ｓ１００Ａ６又はＳＰＡＰ１  を認識する抗体を含有する薬剤耐性マーカー、前記マーカーを用いる薬剤耐性の検出方法、前記マーカーを用いる本発明遺伝子又はタンパク質の発現を抑制する物質のスクリーニング方法、並びに本発明遺伝子の増幅に起因する薬剤耐性を示す癌において本発明遺伝子の発現を抑制するアンチセンスヌクレオチド又は二本鎖ＲＮＡ。【選択図】        なし【特許請求の範囲】
【請求項１】
ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の塩基配列において、連続する少なくとも１５塩基を有するポリヌクレオチドおよび／またはポリヌクレオチドに相補的なポリヌクレオチドからなる、薬剤耐性マーカー。
【請求項２】
固形癌の薬剤耐性の検出用プローブまたはプライマーとして使用される、請求項１記載の薬剤耐性マーカー。
【請求項３】
非固形癌の薬剤耐性の検出用プローブまたはプライマーとして使用される、請求項１記載の薬剤耐性マーカー。
【請求項４】
請求項１〜３いずれか記載の薬剤耐性マーカーを含む複数のポリヌクレオチドを基盤上に配置してなるＤＮＡマイクロアレイ。
【請求項５】
下記の工程（ａ）、（ｂ）および（ｃ）を含む、薬剤耐性の検出方法：
（ａ）被験者の生体試料から調製されたＲＮＡまたは該ＲＮＡから転写された相補的ポリヌクレオチドと請求項１〜３いずれか記載の薬剤耐性マーカーとを結合させる工程、
（ｂ）該薬剤耐性マーカーに結合した生体試料由来のＲＮＡまたは該ＲＮＡから転写された相補的ポリヌクレオチドを、上記薬剤耐性マーカーを指標として測定する工程、
（ｃ）上記（ｂ）の測定結果に基づいて、薬剤耐性の獲得を判断する工程。
【請求項６】
下記の工程（ａ）、（ｂ）および（ｃ）を含む、薬剤耐性の検出方法：
（ａ）被験者の生体試料から調製されたＲＮＡまたは該ＲＮＡから転写された相補的ポリヌクレオチドと請求項４に記載のＤＮＡマイクロアレイとを接触させる工程、
（ｂ）該マイクロアレイの基盤上の薬剤耐性マーカーに結合した生体試料由来のＲＮＡまたは該ＲＮＡから転写された相補的ポリヌクレオチドを検出する工程、（ｃ）上記（ｂ）の検出結果に基づいて、薬剤耐性の獲得を判断する工程。
【請求項７】
工程（ｃ）における薬剤耐性の獲得の判断が、被験者について得られる測定結果を正常者または治療前の被験者について得られる測定結果と対比して、薬剤耐性マーカーへの結合量が増大していることを指標として行われる、請求項５または６に記載の薬剤耐性の検出方法。
【請求項８】
ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１を認識する抗体を含有する、薬剤耐性マーカー。
【請求項９】
固形癌における薬剤耐性の検出においてプローブとして使用される請求項８記載の薬剤耐性マーカー。
【請求項１０】
非固形癌における薬剤耐性の検出においてプローブとして使用される請求項８記載の薬剤耐性マーカー。
【請求項１１】
請求項８〜１０いずれか記載の薬剤耐性マーカーを含む複数の抗体を基盤上に配置してなるプロテインチップ。
【請求項１２】
下記の工程（ａ）、（ｂ）および（ｃ）を含む薬剤耐性の検出方法：
（ａ）被験者の生体試料から調製されたタンパク質と請求項８〜１０いずれに記載の薬剤耐性マーカーとを結合させる工程、
（ｂ）該薬剤耐性マーカーに結合した生体試料由来のタンパク質を、上記薬剤耐性マーカーを指標として測定する工程、
（ｃ）上記（ｂ）の測定結果に基づいて、薬剤耐性の獲得を判断する工程。
【請求項１３】
下記の工程（ａ）、（ｂ）および（ｃ）を含む薬剤耐性の検出方法：
（ａ）被験者の生体試料から調製されたタンパク質と請求項１１に記載のプロテインチップとを接触させる工程、
（ｂ）該プロテインチップの基盤上の薬剤耐性マーカーに結合した生体試料由来のタンパク質を検出する工程、
（ｃ）上記（ｂ）の測定結果に基づいて、薬剤耐性の獲得を判断する工程。
【請求項１４】
工程（ｃ）における薬剤耐性の獲得の判断が、被験者について得られる測定結果を正常者または治療前の被験者について得られる測定結果と対比して、薬剤耐性マーカーへの結合量が増大していることを指標として行われる請求項１２または１３記載の薬剤耐性の検出方法。
【請求項１５】
下記の工程（ａ）、（ｂ）および（ｃ）を含む、ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現を抑制する物質のスクリーニング方法：
（  ａ）  被験物質と、ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子を発現可能な細胞とを接触させる工程、
（  ｂ）  被験物質を接触させた細胞におけるＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現量を測定し、該発現量を被験物質を接触させない対照細胞における上記に対応する遺伝子の発現量と比較する工程、
（  ｃ）  上記（ｂ）の比較結果に基づいて、ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現量を減少させる被験物質を選択する工程。
【請求項１６】
下記の工程（ａ）、（ｂ）および（ｃ）を含む、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１の発現を抑制する物質のスクリーニング方法：
（  ａ）  被験物質と、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１を発現可能な細胞とを接触させる工程、
（  ｂ）  被験物質を接触させた細胞におけるＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１の発現量を測定し、該発現量を被験物質を接触させない対照細胞における上記に対応するタンパク質の発現量と比較する工程、
（  ｃ）  上記（ｂ）の比較結果に基づいて、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１の発現量を減少させる被験物質を選択する工程。
【請求項１７】
下記の工程（ａ）、（ｂ）および（ｃ）を含む、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１の過剰発現に基づく細胞の薬剤耐性を低減する物質のスクリーニング方法：
（  ａ）  被験物質および薬剤と、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１を過剰発現する細胞とを接触させる工程、
（  ｂ）  上記（ａ）の工程に起因して生じる細胞の薬剤耐性度を測定し、被験物質を接触させない場合の上記（ａ）の細胞の薬剤耐性度と比較する工程、
（  ｃ）  上記（ｂ）の比較結果に基づいて、上記（ａ）の細胞の薬剤耐性を低減させる被験物質を選択する工程。
【請求項１８】
固形癌における薬剤耐性を低減する成分を探索するための方法である、請求項１５〜１７いずれかに記載のスクリーニング方法。
【請求項１９】
非固形癌における薬剤耐性を低減させる成分を探索するための方法である、請求項１５〜１７いずれかに記載のスクリーニング方法。
【請求項２０】
ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の増幅に起因する薬剤耐性を示す癌においてＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現を抑制するアンチセンスヌクレオチド。
【請求項２１】
ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の増幅に起因する薬剤耐性を示す癌においてＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現を抑制する二本鎖ＲＮＡ。
【発明の詳細な説明】
【０００１】
【発明の属する技術分野】
本発明は、癌の薬剤耐性マーカーおよびその利用に関する。
【０００２】
【従来の技術】
多発性骨髄腫（ＭＭ）は、骨髄での低い増殖度と長期化した寿命を有する形質細胞の蓄積を特徴とするＢ細胞悪性疾患である。自己幹細胞移植によって事故がなく長期生存が可能になったという最近の進歩にもかかわらず、ＭＭは、臨床的には、患者間での治療に対する応答や生存期間の広範な変動性をもつ疾患である（非特許文献１を参照）  。
【０００３】
すべてのＭＭ患者に染色体異常が観察されている（非特許文献２を参照）。初期の転座は、ＭＭの病因の早期かつおそらくは開始事象として生じる（非特許文献３を参照）。転位のブレークポイントのクラスタリングは、  １４ｑ３２，  １６ｑ１１，および  ２２ｑ１１で検出されている（非特許文献４を参照）。しかしながら、このような転座だけでは、本疾患の悪性への進行には不十分であり（非特許文献５を参照）、腫瘍関連遺伝子（癌原遺伝子および癌抑制遺伝子を含む）に影響を及ぼすさらなる遺伝子の変化が、十分な悪性表現型の出現に必要である。実際、核型解析および最近の蛍光インサイチュハイブリダイゼーション（ＦＩＳＨ）解析により、ＭＭの疾患の進行と二次的な非無作為染色体異常の出現とが関連していることが示されている（非特許文献３、６を参照）。
【０００４】
染色体ＤＮＡ配列の増幅は、種々のタイプの腫瘍の発現と進行において腫瘍関連遺伝子を活性化可能な機構の１つである。ＭＭにおいて、  ＣｙｃｌｉｎＤ１  （１１ｑ１３）  およびＭＹＣＣ  （８ｑ２４）  を含むいくつかの癌遺伝子が増幅機構を通して活性化されることが知られている（非特許文献７、８を参照）。しかしながら、ＭＭにおける細胞遺伝的異常の同定は、高分解度バンディング解析用の高品質な分裂中期細胞を十分量生成させることを制限する低増殖度により非常に困難である。比較ゲノムハイブリダイゼーション（ＣＧＨ）は、慣用的な細胞遺伝的解析を行う必要性がなく、腫瘍の染色体コピー数異常を同定することが可能である（非特許文献９を参照）。このアプローチは、特に予後との関係で、染色体コピー数異常を得るためにＭＭの臨床検体および細胞株に適用されており（非特許文献１０〜１２を参照）、増幅領域を含むさらなる再現異常が示された。これらの増幅領域はＭＭの病原に関連するさらなる遺伝子を含む可能性があるが、これらの領域内の特異的標的遺伝子はほとんど知られていない。
【０００５】
【非特許文献１】
Ｎ．  Ｅｎｇｌ．  Ｊ．  Ｍｅｄ．，  ３３５：  ９１−９７，  １９９６
【非特許文献２】
Ｃａｎｃｅｒ  Ｒｅｓ．，  ５３：  ５３２０−５３２７，  １９９３
【非特許文献３】
Ｏｎｃｏｇｅｎｅ，  ２０：  ５６１１−５６２２，  ２００１
【非特許文献４】
Ｇｅｎｅｓ  Ｃｈｒｏｍｏｓｏｍｅｓ  Ｃａｎｃｅｒ，  １８：  ８４−９３，１９９７
【非特許文献５】
Ｎａｔｕｒｅ，  ３４９：  ２５４−２５６，  １９９１
【非特許文献６】
Ｇｅｎｅｓ  Ｃｈｒｏｍｏｓｏｍｅｓ  Ｃａｎｃｅｒ，  ３２：  ２５０−２６４，  ２００１
【非特許文献７】
Ｂｒ．  Ｊ．  Ｈａｅｍａｔｏｌ．，  １０９：  ３０−３８，  ２０００
【非特許文献８】
Ｏｎｃｏｇｅｎｅ，  ５：  １３５９−１３６４，  １９９０
【非特許文献９】
Ｓｃｉｅｎｃｅ，  ２５８：  ８１８−８２１，  １９９２
【非特許文献１０】
Ｇｅｎｅｓ  Ｃｈｒｏｍｏｓｏｍｅｓ  Ｃａｎｃｅｒ，  １９：  １２４−１３３，  １９９７
【非特許文献１１】
Ｂｌｏｏｄ，  ９１：  ３００７−３０１０，  １９９７
【非特許文献１２】
Ｌｅｕｋｅｍｉａ，  １５：  ８４０−８４５，  ２００１
【０００６】
【発明が解決しようとする課題】
本発明の目的は、ＭＭをはじめとする種々の癌の悪性度の指標となりうる遺伝子マーカーおよびその用途を提供することにある。
【０００７】
【課題を解決するための手段】
ＣＧＨ解析は、評価できる分裂中期の生成が制限されるＭＭを初めとする低増殖画分を有する腫瘍においてゲノム増幅および欠失の領域を定義する有用な方法である。本発明者らは、ＭＭの進行に影響を及ぼす可能性のある遺伝子変化を探索するため、３７種のＭＭ細胞株をＣＧＨにより調べたところ、第１染色体において最高頻度の高レベル増加（ＨＬＧ）を示す最小領域１ｑ１２−ｑ２１領域を見出し、本発明を完成させるに至った。１ｑ１２−ｑ２１領域近辺での増加／増幅は、高頻度であること以外に、以下のように注目されるものである。
【０００８】
（ａ）前記領域を含む異常の高罹患率が多数の腫瘍型で観察されていること、
（ｂ）前記異常が前記腫瘍において腫瘍の進展および／または治療に対する応答に関連していること。
【０００９】
即ち、本発明の要旨は、
（１）  ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の塩基配列において、連続する少なくとも１５塩基を有するポリヌクレオチドおよび／またはポリヌクレオチドに相補的なポリヌクレオチドからなる、薬剤耐性マーカー、
（２）  固形癌の薬剤耐性の検出用プローブまたはプライマーとして使用される、前記（１）記載の薬剤耐性マーカー、
（３）  非固形癌の薬剤耐性の検出用プローブまたはプライマーとして使用される、前記（１）記載の薬剤耐性マーカー、
（４）前記（１）〜（３）いずれか記載の薬剤耐性マーカーを含む複数のポリヌクレオチドを基盤上に配置してなるＤＮＡマイクロアレイ、
（５）下記の工程（ａ）、（ｂ）および（ｃ）を含む、薬剤耐性の検出方法：
（ａ）被験者の生体試料から調製されたＲＮＡまたは該ＲＮＡから転写された相補的ポリヌクレオチドと請求項１〜３いずれか記載の薬剤耐性マーカーとを結合させる工程、
（ｂ）該薬剤耐性マーカーに結合した生体試料由来のＲＮＡまたは該ＲＮＡから転写された相補的ポリヌクレオチドを、上記薬剤耐性マーカーを指標として測定する工程、
（ｃ）上記（ｂ）の測定結果に基づいて、薬剤耐性の獲得を判断する工程、
（６）下記の工程（ａ）、（ｂ）および（ｃ）を含む、薬剤耐性の検出方法：
（ａ）被験者の生体試料から調製されたＲＮＡまたは該ＲＮＡから転写された相補的ポリヌクレオチドと請求項４に記載のＤＮＡマイクロアレイとを接触させる工程、
（ｂ）該マイクロアレイの基盤上の薬剤耐性マーカーに結合した生体試料由来のＲＮＡまたは該ＲＮＡから転写された相補的ポリヌクレオチドを検出する工程、
（ｃ）上記（ｂ）の検出結果に基づいて、薬剤耐性の獲得を判断する工程、
（７）工程（ｃ）における薬剤耐性の獲得の判断が、被験者について得られる測定結果を正常者または治療前の被験者について得られる測定結果と対比して、薬剤耐性マーカーへの結合量が増大していることを指標として行われる、前記（５）または（６）に記載の薬剤耐性の検出方法、
（８）ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１を認識する抗体を含有する薬剤耐性マーカー、
（９）固形癌における薬剤耐性の検出においてプローブとして使用される前記（８）記載の薬剤耐性マーカー、
（１０）  非固形癌における薬剤耐性の検出においてプローブとして使用される前記（８）記載の薬剤耐性マーカー、
（１１）前記（８）〜（１０）いずれか記載の薬剤耐性マーカーを含む複数の抗体を基盤上に配置してなるプロテインチップ、
（１２）下記の工程（ａ）、（ｂ）および（ｃ）を含む薬剤耐性の検出方法：
（ａ）被験者の生体試料から調製されたタンパク質と前記（８）〜（１０）いずれに記載の薬剤耐性マーカーとを結合させる工程、
（ｂ）該薬剤耐性マーカーに結合した生体試料由来のタンパク質を、上記薬剤耐性マーカーを指標として測定する工程、
（ｃ）上記（ｂ）の測定結果に基づいて、薬剤耐性の獲得を判断する工程、
（１３）下記の工程（ａ）、（ｂ）および（ｃ）を含む薬剤耐性の検出方法：
（ａ）被験者の生体試料から調製されたタンパク質と前記（１１）に記載のプロテインチップとを接触させる工程、
（ｂ）該プロテインチップの基盤上の薬剤耐性マーカーに結合した生体試料由来のタンパク質を検出する工程、
（ｃ）上記（ｂ）の測定結果に基づいて、薬剤耐性の獲得を判断する工程、
（１４）工程（ｃ）における薬剤耐性の獲得の判断が、被験者について得られる測定結果を正常者または治療前の被験者について得られる測定結果と対比して、薬剤耐性マーカーへの結合量が増大していることを指標として行われる前記（１２）または（１３）記載の薬剤耐性の検出方法、
（１５）下記の工程（ａ）、（ｂ）および（ｃ）を含む、ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現を抑制する物質のスクリーニング方法：
（  ａ）  被験物質と、ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子を発現可能な細胞とを接触させる工程、
（  ｂ）  被験物質を接触させた細胞におけるＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現量を測定し、該発現量を被験物質を接触させない対照細胞における上記に対応する遺伝子の発現量と比較する工程、
（  ｃ）  上記（ｂ）の比較結果に基づいて、ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現量を減少させる被験物質を選択する工程、
（１６）下記の工程（ａ）、（ｂ）および（ｃ）を含む、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１の発現を抑制する物質のスクリーニング方法：
（  ａ）  被験物質と、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１を発現可能な細胞とを接触させる工程、
（  ｂ）  被験物質を接触させた細胞におけるＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１の発現量を測定し、該発現量を被験物質を接触させない対照細胞における上記に対応するタンパク質の発現量と比較する工程、
（  ｃ）  上記（ｂ）の比較結果に基づいて、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１の発現量を減少させる被験物質を選択する工程、
（１７）下記の工程（ａ）、（ｂ）および（ｃ）を含む、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１の過剰発現に基づく細胞の薬剤耐性を低減する物質のスクリーニング方法：
（  ａ）  被験物質および薬剤と、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１を過剰発現する細胞とを接触させる工程、
（  ｂ）  上記（ａ）の工程に起因して生じる細胞の薬剤耐性度を測定し、被験物質を接触させない場合の上記（ａ）の細胞の薬剤耐性度と比較する工程、
（  ｃ）  上記（ｂ）の比較結果に基づいて、上記（ａ）の細胞の薬剤耐性を低減させる被験物質を選択する工程、
（１８）固形癌における薬剤耐性を低減する成分を探索するための方法である、前記（１５）〜（１７）いずれかに記載のスクリーニング方法、
（１９）非固形癌における薬剤耐性を低減させる成分を探索するための方法である、前記（１５）〜（１７）いずれかに記載のスクリーニング方法、
（２０）ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の増幅に起因する薬剤耐性を示す癌においてＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現を抑制するアンチセンスヌクレオチド、
（２１）ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の増幅に起因する薬剤耐性を示す癌においてＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現を抑制する二本鎖ＲＮＡ、
に関する。
【００１０】
【発明の実施の形態】
本発明者らは、ＣＧＨ解析により最も高頻度の高レベル増加（ＨＬＧ）を示す最小領域１ｑ１２−ｑ２１をＭＭ細胞株で見出し、前記最小領域は、ＭＭのみならず悪性度の高い腫瘍や化学療法耐性の腫瘍で高頻度に増幅されており、前記領域内で癌の悪性度と相関する遺伝子を初めて単離したものである。
【００１１】
以下、本明細書において、アミノ酸、（ポリ）ペプチド、（ポリ）ヌクレオチドなどの略号による表示は、ＩＵＰＡＣ−ＩＵＢの規定〔ＩＵＰＡＣ−ＩＵＢ  Ｃｏｍｍｕｎｉｃａｔｉｏｎ  ｏｎ  Ｂｉｏｌｏｇｉｃａｌ  Ｎｏｍｅｎｃｌａｔｕｒｅ，  Ｅｕｒ．  Ｊ．  Ｂｉｏｃｈｅｍ．，  １３８：  ９  （１９８４）  〕、「塩基配列またはアミノ酸配列を含む明細書等の作成のためのガイドライン」（日本国特許庁編）、および当該分野における慣用記号に従う。
【００１２】
本明細書において「遺伝子」または「ＤＮＡ」とは、２本鎖ＤＮＡのみならず、それを構成するセンス鎖およびアンチセンス鎖といった各１本鎖ＤＮＡを包含する趣旨で用いられる。またその長さによって特に制限されるものではない。従って、本明細書において遺伝子（  ＤＮＡ）  とは、特に言及しない限り、ヒトゲノムＤＮＡを含む２本鎖ＤＮＡおよびｃＤＮＡを含む１本鎖ＤＮＡ（正鎖）ならびに該正鎖と相補的な配列を有する１本鎖ＤＮＡ（相補鎖）、およびこれらの断片のいずれもが含まれる。また当該「遺伝子」または「ＤＮＡ」には、特定の塩基配列（配列番号：１、３、９、１１、１３、１５、１７、１９または２１）で示される「遺伝子」または「ＤＮＡ」だけでなく、これらによりコードされるタンパク質と生物学的機能が同等であるタンパク質（例えば同族体（ホモログやスプライスバリアントなど）、変異体および誘導体）をコードする「遺伝子」または「ＤＮＡ」が包含される。かかる同族体、変異体または誘導体をコードする「遺伝子」または「ＤＮＡ」としては、具体的には、後述の（１−１）  項に記載のストリンジェントな条件下で、前記の配列番号：１、３、９、１１、１３、１５、１７、１９または２１で示されるいずれかの特定塩基配列の相補配列とハイブリダイズする塩基配列を有する「遺伝子」または「ＤＮＡ」を挙げることができる。
【００１３】
例えばヒト由来のタンパク質のホモログをコードする遺伝子としては、当該タンパク質をコードするヒト遺伝子に対応するマウスやラットなど他生物種の遺伝子が例示でき、これらの遺伝子（ホモログ）は、ＨｏｍｏｌｏＧｅｎｅ（ｈｔｔｐ：／／ｗｗｗ．ｎｃｂｉ．ｎｌｍ．ｎｉｈ．ｇｏｖ／ＨｏｍｏｌｏＧｅｎｅ／  ）により同定することができる。具体的には、特定ヒト塩基配列をＢＬＡＳＴ  （Ｐｒｏｃ．  Ｎａｔｌ．  Ａｃａｄ．  Ｓｃｉ．  ＵＳＡ  ９０：５８７３−５８７７，  １９９３  、ｈｔｔｐ：／／ｗｗｗ．ｎｃｂｉ．ｎｌｍ．ｎｉｈ．ｇｏｖ／ＢＬＡＳＴ／）にかけて一致する（Ｓｃｏｒｅ  が最も高く、Ｅ−ｖａｌｕｅ  が０  でかつＩｄｅｎｔｉｔｙが１００％を示す）配列のアクセッション番号を取得する。そのアクセッション番号をＵｎｉＧｅｎｅ  （ｈｔｔｐ：／／ｗｗｗ．ｎｃｂｉ．ｎｌｍ．ｎｉｈ．ｇｏｖ／ＵｎｉＧｅｎｅ／）に入力して得られたＵｎｉＧｅｎｅ  Ｃｌｕｓｔｅｒ  ＩＤ（Ｈｓ．  で示す番号）をＨｏｍｏｌｏＧｅｎｅに入力する。結果として得られた他生物種遺伝子とヒト遺伝子との遺伝子ホモログの相関を示したリストから、特定の塩基配列で示されるヒト遺伝子に対応する遺伝子（ホモログ）としてマウスやラットなど他生物種の遺伝子を選抜することができる。
【００１４】
なお、遺伝子またはＤＮＡは、機能領域の別を問うものではなく、例えば発現制御領域、コード領域、エキソン、またはイントロンを含むことができる。
【００１５】
従って本明細書において「ＰＤＺＫ１遺伝子」または「ＰＤＺＫ１のＤＮＡ」といった用語を用いる場合、配列番号で特に指定しない限り、特定塩基配列（配列番号：１）で示されるヒトＰＤＺＫ１遺伝子（ＤＮＡ）や、その同族体、変異体および誘導体などをコードする遺伝子（ＤＮＡ）を包含する趣旨で用いられる。具体的には、配列番号：１に記載のヒトＰＤＺＫ１遺伝子や、そのマウスホモログ、ラットホモログなどが包含される。
【００１６】
本明細書において「ＭＣＬ１遺伝子」または「ＭＣＬ１のＤＮＡ」といった用語を用いる場合、配列番号で特に指定しない限り、特定塩基配列（配列番号：３）で示されるヒトＭＣＬ１遺伝子（ＤＮＡ）や、その同族体、変異体および誘導体などをコードする遺伝子（ＤＮＡ）を包含する趣旨で用いられる。具体的には、配列番号：  ３に記載のヒトＭＣＬ１遺伝子や、そのマウスホモログ、ラットホモログなどが包含される。
【００１７】
本明細書において「ＫＣＮＮ３遺伝子」または「ＫＣＮＮ３のＤＮＡ」といった用語を用いる場合、配列番号で特に指定しない限り、特定塩基配列（配列番号：９）で示されるヒトＫＣＮＮ３遺伝子（ＤＮＡ）や、その同族体、変異体および誘導体などをコードする遺伝子（ＤＮＡ）を包含する趣旨で用いられる。具体的には、配列番号：  ９に記載のヒトＫＣＮＮ３遺伝子や、そのマウスホモログ、ラットホモログなどが包含される。
【００１８】
本明細書において「ＭＧＣ４３６５遺伝子」または「ＭＧＣ４３６５のＤＮＡ」といった用語を用いる場合、配列番号で特に指定しない限り、特定塩基配列（配列番号：１１）で示されるヒトＭＧＣ４３６５遺伝子（ＤＮＡ）や、その同族体、変異体および誘導体などをコードする遺伝子（ＤＮＡ）を包含する趣旨で用いられる。具体的には、配列番号：  １１に記載のヒトＭＧＣ４３６５遺伝子や、そのマウスホモログ、ラットホモログなどが包含される。
【００１９】
本明細書において「ＦＬＪ２２５３０遺伝子」または「ＦＬＪ２２５３０のＤＮＡ」といった用語を用いる場合、配列番号で特に指定しない限り、特定塩基配列（配列番号：１３）で示されるヒトＦＬＪ２２５３０遺伝子（ＤＮＡ）や、その同族体、変異体および誘導体などをコードする遺伝子（ＤＮＡ）を包含する趣旨で用いられる。具体的には、配列番号：  １３に記載のヒトＦＬＪ２２５３０遺伝子や、そのマウスホモログ、ラットホモログなどが包含される。
【００２０】
本明細書において「ＩＲＴＡ２遺伝子」または「ＩＲＴＡ２のＤＮＡ」といった用語を用いる場合、配列番号で特に指定しない限り、特定塩基配列（配列番号：１５）で示されるヒトＩＲＴＡ２遺伝子（ＤＮＡ）や、その同族体、変異体および誘導体などをコードする遺伝子（ＤＮＡ）を包含する趣旨で用いられる。具体的には、配列番号：  １５に記載のヒトＩＲＴＡ２遺伝子や、そのマウスホモログ、ラットホモログなどが包含される。
【００２１】
本明細書において「ＦＬＪ２３２２１遺伝子」または「ＦＬＪ２３２２１のＤＮＡ」といった用語を用いる場合、配列番号で特に指定しない限り、特定塩基配列（配列番号：１７）で示されるヒトＦＬＪ２３２２１遺伝子（ＤＮＡ）や、その同族体、変異体および誘導体などをコードする遺伝子（ＤＮＡ）を包含する趣旨で用いられる。具体的には、配列番号：  １７に記載のヒトＦＬＪ２３２２１遺伝子や、そのマウスホモログ、ラットホモログなどが包含される。
【００２２】
本明細書において「Ｓ１００Ａ６遺伝子」または「Ｓ１００Ａ６のＤＮＡ」といった用語を用いる場合、配列番号で特に指定しない限り、特定塩基配列（配列番号：１９）で示されるヒトＳ１００Ａ６遺伝子（ＤＮＡ）や、その同族体、変異体および誘導体などをコードする遺伝子（ＤＮＡ）を包含する趣旨で用いられる。具体的には、配列番号：  １９に記載のヒトＳ１００Ａ６遺伝子や、そのマウスホモログ、ラットホモログなどが包含される。
【００２３】
本明細書において「ＳＰＡＰ１遺伝子」または「ＳＰＡＰ１のＤＮＡ」といった用語を用いる場合、配列番号で特に指定しない限り、特定塩基配列（配列番号：２１）で示されるヒトＳＰＡＰ１遺伝子（ＤＮＡ）や、その同族体、変異体および誘導体などをコードする遺伝子（ＤＮＡ）を包含する趣旨で用いられる。具体的には、配列番号：  ２１に記載のヒトＳＰＡＰ１遺伝子や、そのマウスホモログ、ラットホモログなどが包含される。
【００２４】
本明細書において「ポリヌクレオチド」とは、ＲＮＡおよびＤＮＡのいずれをも包含する趣旨で用いられる。なお、上記ＤＮＡには、ｃＤＮＡ、ゲノムＤＮＡ、および合成ＤＮＡのいずれもが含まれる。また上記ＲＮＡには、  ｔｏｔａｌＲＮＡ、ｍＲＮＡ、ｒＲＮＡおよび合成のＲＮＡのいずれもが含まれる。
【００２５】
本明細書において「タンパク質」または「（ポリ）ペプチド」には、特定のアミノ酸配列（配列番号：２、４、１０、１２、１４、１６、１８、２０または２２）で示される「タンパク質」または「（ポリ）ペプチド」だけでなく、これらと生物学的機能が同等であることを限度として、その同族体（ホモログやスプライスバリアント）、変異体、誘導体、成熟体およびアミノ酸修飾体などが包含される。ここでホモログとしては、ヒトのタンパク質に対応するマウスやラットなど他生物種のタンパク質が例示でき、これらはＨｏｍｏｌｏＧｅｎｅ（ｈｔｔｐ：／／ｗｗｗ．ｎｃｂｉ．ｎｌｍ．ｎｉｈ．ｇｏｖ／ＨｏｍｏｌｏＧｅｎｅ／  ）により同定された遺伝子の塩基配列から演繹的に同定することができる。また変異体には、天然に存在するアレル変異体、天然に存在しない変異体、および人為的に欠失、置換、付加および挿入されることによって改変されたアミノ酸配列を有する変異体が包含される。なお、上記変異体としては、変異のないタンパク質または（ポリ）ペプチドと、少なくとも７０％、好ましくは８０％、より好ましくは９５％、さらにより好ましくは９７％相同なものを挙げることができる。またアミノ酸修飾体には、天然に存在するアミノ酸修飾体、天然に存在しないアミノ酸修飾体が包含され、具体的にはアミノ酸のリン酸化体が挙げられる。
【００２６】
従って本明細書において「ＰＤＺＫ１タンパク質」または単に「ＰＤＺＫ１」といった用語を用いる場合、配列番号で特に指定しない限り、特定アミノ酸配列（配列番号２）で示されるヒトＰＤＺＫ１やその同族体、変異体、誘導体、成熟体およびアミノ酸修飾体などを包含する趣旨で用いられる。具体的には、配列番号：２（ＧｅｎＢａｎｋ  Ａｃｃｅｓｓｉｏｎ  Ｎｏ．  ＮＭ＿００２６１４）に記載のアミノ酸配列を有するヒトＰＤＺＫ１や、そのマウスホモログ、ラットホモログなどが包含される。
【００２７】
本明細書において「ＭＣＬ１タンパク質」または単に「ＭＣＬ１」といった用語を用いる場合、配列番号で特に指定しない限り、特定アミノ酸配列（配列番号４）で示されるヒトＭＣＬ１やその同族体、変異体、誘導体、成熟体およびアミノ酸修飾体などを包含する趣旨で用いられる。具体的には、配列番号４（ＧｅｎＢａｎｋ  Ａｃｃｅｓｓｉｏｎ  Ｎｏ．  ＡＦ１４７７４２）に記載のアミノ酸配列を有するヒトＭＣＬ１や、そのマウスホモログ、ラットホモログなどが包含される。
【００２８】
本明細書において「ＫＣＮＮ３タンパク質」または単に「ＫＣＮＮ３」といった用語を用いる場合、配列番号で特に指定しない限り、特定アミノ酸配列（配列番号１０）で示されるヒトＫＣＮＮ３やその同族体、変異体、誘導体、成熟体およびアミノ酸修飾体などを包含する趣旨で用いられる。具体的には、配列番号１０（ＧｅｎＢａｎｋ  Ａｃｃｅｓｓｉｏｎ  Ｎｏ．  ＮＭ＿００２２４９）に記載のアミノ酸配列を有するヒトＫＣＮＮ３や、そのマウスホモログ、ラットホモログなどが包含される。
【００２９】
本明細書において「ＭＧＣ４３６５タンパク質」または単に「ＭＧＣ４３６５」といった用語を用いる場合、配列番号で特に指定しない限り、特定アミノ酸配列（配列番号１２）で示されるヒトＭＧＣ４３６５やその同族体、変異体、誘導体、成熟体およびアミノ酸修飾体などを包含する趣旨で用いられる。具体的には、配列番号１２（ＧｅｎＢａｎｋ  Ａｃｃｅｓｓｉｏｎ  Ｎｏ．  ＮＭ＿０２４３３０）に記載のアミノ酸配列を有するヒトＭＧＣ４３６５や、そのマウスホモログ、ラットホモログなどが包含される。
【００３０】
本明細書において「ＦＬＪ２２５３０タンパク質」または単に「ＦＬＪ２２５３０」といった用語を用いる場合、配列番号で特に指定しない限り、特定アミノ酸配列（配列番号１４）で示されるヒトＦＬＪ２２５３０やその同族体、変異体、誘導体、成熟体およびアミノ酸修飾体などを包含する趣旨で用いられる。具体的には、配列番号１４（ＧｅｎＢａｎｋ  Ａｃｃｅｓｓｉｏｎ  Ｎｏ．  ＮＭ＿０２４５６８）に記載のアミノ酸配列を有するヒトＦＬＪ２２５３０や、そのマウスホモログ、ラットホモログなどが包含される。
【００３１】
本明細書において「ＩＲＴＡ２タンパク質」または単に「ＩＲＴＡ２」といった用語を用いる場合、配列番号で特に指定しない限り、特定アミノ酸配列（配列番号１６）で示されるヒトＩＲＴＡ２やその同族体、変異体、誘導体、成熟体およびアミノ酸修飾体などを包含する趣旨で用いられる。具体的には、配列番号１６（ＧｅｎＢａｎｋ  Ａｃｃｅｓｓｉｏｎ  Ｎｏ．  ＮＭ＿０３１２８１）に記載のアミノ酸配列を有するヒトＩＲＴＡ２や、そのマウスホモログ、ラットホモログなどが包含される。
【００３２】
本明細書において「ＦＬＪ２３２２１タンパク質」または単に「ＦＬＪ２３２２１」といった用語を用いる場合、配列番号で特に指定しない限り、特定アミノ酸配列（配列番号１８）で示されるヒトＦＬＪ２３２２１やその同族体、変異体、誘導体、成熟体およびアミノ酸修飾体などを包含する趣旨で用いられる。具体的には、配列番号１８（ＧｅｎＢａｎｋ  Ａｃｃｅｓｓｉｏｎ  Ｎｏ．  ＮＭ＿０２４５７９）に記載のアミノ酸配列を有するヒトＦＬＪ２３２２１や、そのマウスホモログ、ラットホモログなどが包含される。
【００３３】
本明細書において「Ｓ１００Ａ６タンパク質」または単に「Ｓ１００Ａ６」といった用語を用いる場合、配列番号で特に指定しない限り、特定アミノ酸配列（配列番号２０）で示されるヒトＳ１００Ａ６やその同族体、変異体、誘導体、成熟体およびアミノ酸修飾体などを包含する趣旨で用いられる。具体的には、配列番号２０（ＧｅｎＢａｎｋ  Ａｃｃｅｓｓｉｏｎ  Ｎｏ．  ＮＭ＿０１４６２４）に記載のアミノ酸配列を有するヒトＳ１００Ａ６や、そのマウスホモログ、ラットホモログなどが包含される。
【００３４】
本明細書において「ＳＰＡＰ１タンパク質」または単に「ＳＰＡＰ１」といった用語を用いる場合、配列番号で特に指定しない限り、特定アミノ酸配列（配列番号２２）で示されるヒトＳＰＡＰ１やその同族体、変異体、誘導体、成熟体およびアミノ酸修飾体などを包含する趣旨で用いられる。具体的には、配列番号２２（ＧｅｎＢａｎｋ  Ａｃｃｅｓｓｉｏｎ  Ｎｏ．  ＮＭ＿０３０７６４）に記載のアミノ酸配列を有するヒトＳＰＡＰ１や、そのマウスホモログ、ラットホモログなどが包含される。
【００３５】
本明細書でいう「抗体」には、ポリクローナル抗体、モノクローナル抗体、キメラ抗体、一本鎖抗体、またはＦａｂ  フラグメントやＦａｂ  発現ライブラリーによって生成されるフラグメントなどのように抗原結合性を有する上記抗体の一部が包含される。
【００３６】
さらに本明細書において「薬剤耐性マーカー」とは、癌における薬剤耐性の有無、薬剤耐性の程度もしくは改善の有無や改善の程度を診断するために、または薬剤耐性を示す癌の治療に有用な候補物質をスクリーニングするために、直接または間接的に利用されるものをいう。これには、癌の薬剤耐性に関連して生体内組織や細胞において、発現が変動する遺伝子またはタンパク質を特異的に認識し、または結合することのできる（ポリ）（オリゴ）ヌクレオチドまたは抗体が包含される。これらの（ポリ）（オリゴ）ヌクレオチドおよび抗体は、上記性質に基づいて、生体組織や細胞で発現した上記遺伝子およびタンパク質を検出するためのプローブとして、また（オリゴ）ヌクレオチドは生体内で発現した上記遺伝子を増幅するためのプライマーとして有効に利用することができる。
【００３７】
本明細書において「癌」とは、特に限定されるものではなく、例えば胃癌、食道癌、大腸癌、肺癌、乳癌、子宮癌、腎癌、膵臓癌、肝癌、前立腺癌、皮膚癌などの固形癌、ならびに白血病、多発性骨髄腫などの非固形癌が挙げられる。
【００３８】
本明細書において「薬剤耐性」とは、癌細胞が癌の化学療法に用いられる薬剤に対して抵抗性を示し、これらの薬剤を投与しても癌細胞の生存率を有意に低減できない状態をいう。前記薬剤としては特に制限されるものではないが、例えば、メルファラン（ＭＥＬ）  、シスプラチン（ｃＤＤＰ）、ビンクリスチン（ＶＣＲ）  、デキサメタゾン（ＤＥＸ）  、アドリアマイシン（ＡＤＭ）  、ミトザントロン（ＭＩＴ）  、ダウノルビシン（ＤＮＲ）  、およびサリドマイド（ＴＨＡＬ）などが挙げられる。ＭＭにおいては、メルファラン（ＭＥＬ）  、シスプラチン（ｃＤＤＰ）、ビンクリスチン（ＶＣＲ）  、およびデキサメタゾン（ＤＥＸ）  が耐性を示す好ましい薬剤として例示される。
【００３９】
以下、本発明遺伝子（ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子およびＳＰＡＰ１遺伝子）、ならびにこれらの発現産物（ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６およびＳＰＡＰ１、以下これらのタンパク質を併せて本発明タンパク質と称する場合がある）、およびそれらの派生物について、具体的な用途を説明する。
【００４０】
（１）薬剤耐性マーカーおよびその応用
（１−１）  ポリヌクレオチド
本発明におけるＰＤＺＫ１遺伝子は、細胞膜においてタンパク質のオーガナイゼーションに関与すると報告されているＰＤＺドメイン含有タンパク質をコードする遺伝子であり、膜貫通タンパク質のアクチン骨格へのリンクに関与するとも報告されているＰＤＺドメイン含有タンパク質をコードする公知の遺伝子である。例えばヒト由来のＰＤＺＫ１遺伝子としては、配列番号：１  に示すポリヌクレオチドが知られている（ＲｅｆＳｅｑ  Ａｃｃｅｓｓｉｏｎ  Ｎｏ．ＮＭ＿００２６１４）。
【００４１】
本発明におけるＭＣＬ１遺伝子は、Ｍｙｅｌｏｉｄ  ｃｅｌｌ  ｄｉｆｆｅｒｅｎｔｉａｔｉｏｎ  ｐｒｏｔｅｉｎ遺伝子またはＭｙｅｌｏｉｄ  ｃｅｌｌ  ｌｅｕｋｅｍｉａ−１  遺伝子とも呼ばれる公知の遺伝子である。例えばヒト由来のＭＣＬ１遺伝子としては、配列番号：３に示すポリヌクレオチドが知られている（ＲｅｆＳｅｑ  Ａｃｃｅｓｓｉｏｎ  Ｎｏ．  ＡＦ１４７７４２  ）。
【００４２】
本発明におけるＫＣＮＮ３遺伝子は、Ｐｏｔａｓｓｉｕｍ  ｉｎｔｅｒｍｅｄｉａｔｅ／ｓｍａｌｌ  ｃｏｎｄｕｃｔａｎｃｅ  ｃａｌｃｉｕｍ−ａｃｔｉｖａｔｅｄ  ｃｈａｎｎｅｌ，  ｓｕｂｆａｍｉｌｙ  Ｎ，  ｍｅｍｂｅｒ３遺伝子とも呼ばれる公知の遺伝子である。例えばヒト由来のＫＣＮＮ３遺伝子としては、配列番号：９に示すポリヌクレオチドが知られている（ＲｅｆＳｅｑ  Ａｃｃｅｓｓｉｏｎ  Ｎｏ．  ＮＭ＿００２２４９）。
【００４３】
本発明におけるＭＧＣ４３６５遺伝子は、Ｓｏｌｕｔｅ  ｃａｒｒｉｅｒ  ｆａｍｉｌｙ  ２７（ｆａｔｔｙ  ａｃｉｄ  ｔｒａｎｓｐｏｒｔｅｒ）  ｍｅｍｂｅｒ３（ＦＡＴＰ３）  遺伝子とも呼ばれる長鎖脂肪酸の輸送を媒介する脂肪酸輸送タンパク質をコードする公知の遺伝子である。例えばヒト由来のＭＧＣ４３６５遺伝子としては、配列番号：１１に示すポリヌクレオチドが知られている（ＲｅｆＳｅｑ  Ａｃｃｅｓｓｉｏｎ  Ｎｏ．  ＮＭ＿０２４３３０）。
【００４４】
本発明におけるＦＬＪ２２５３０遺伝子は、Ｃｈｒｏｍｏｄｏｍａｉｎ  ｈｅｌｉｃａｓｅ  ＤＮＡ  ｂｉｎｄｉｎｇ  ｐｒｏｔｅｉｎ−１  ｌｉｋｅ（ＣＨＤ１Ｌ）  遺伝子とも呼ばれる公知の遺伝子である。例えばヒト由来のＦＬＪ２２５３０遺伝子としては、配列番号：１３に示すポリヌクレオチドが知られている（ＲｅｆＳｅｑ  Ａｃｃｅｓｓｉｏｎ  Ｎｏ．  ＮＭ＿０２４５６８）。
【００４５】
本発明におけるＩＲＴＡ２遺伝子は、Ｉｍｍｕｎｏｇｌｏｂｕｌｉｎ  ｓｕｐｅｒｆａｍｉｌｙ  ｒｅｃｅｐｔｅｒ  ｔｒａｎｓｌｏｃａｔｉｏｎ  ａｓｓｏｃｉａｔｅｄ  ２遺伝子とも呼ばれる公知の遺伝子である。例えばヒト由来のＩＲＴＡ２遺伝子としては、配列番号：１５に示すポリヌクレオチドが知られている（ＲｅｆＳｅｑ  Ａｃｃｅｓｓｉｏｎ  Ｎｏ．  ＮＭ＿０３１２８１）  。
【００４６】
本発明におけるＦＬＪ２３２２１遺伝子は、Ｈｙｐｏｔｈｅｔｉｃａｌ  ｐｒｏｔｅｉｎ  ＦＬＪ２３２２１  遺伝子とも呼ばれる公知の遺伝子である。例えばヒト由来のＦＬＪ２３２２１遺伝子としては、配列番号：１７に示すポリヌクレオチドが知られている（ＲｅｆＳｅｑ  Ａｃｃｅｓｓｉｏｎ  Ｎｏ．  ＮＭ＿０２４５７９）。
【００４７】
本発明におけるＳ１００Ａ６遺伝子は、Ｓ１００  ｃａｌｃｉｕｍ  ｂｉｎｄｉｎｇ  ｐｒｏｔｅｉｎ  Ａ６  遺伝子とも呼ばれる公知の遺伝子である。例えばヒト由来のＳ１００Ａ６遺伝子としては、配列番号：１９に示すポリヌクレオチドが知られている（ＲｅｆＳｅｑ  Ａｃｃｅｓｓｉｏｎ  Ｎｏ．  ＮＭ＿０１４６２４）。
【００４８】
本発明におけるＳＰＡＰ１遺伝子は、ＳＨ２  ｄｏｍａｉｎ  ｃｏｎｔａｉｎｉｎｇ  ｐｈｏｓｐｈａｔａｓｅ  ａｎｃｈｏｒ  ｐｒｏｔｅｉｎ  １遺伝子、または前記ＩＲＴＡ２遺伝子と同じファミリーのメンバーであるＩＲＴＡ４遺伝子とも呼ばれる公知の遺伝子である。例えばヒト由来のＳＰＡＰ１遺伝子としては、配列番号：２１に示すポリヌクレオチドが知られている（ＲｅｆＳｅｑ  Ａｃｃｅｓｓｉｏｎ  Ｎｏ．  ＮＭ＿０３０７６４）。
【００４９】
本発明は、前述するように、多発性骨髄腫の患者由来の細胞株において、正常細胞に比して、本発明遺伝子が特異的に発現上昇しているという知見を発端に、これらの遺伝子発現の有無や発現の程度を検出することによって癌における薬剤耐性の有無や耐性の程度が特異的に検出でき、薬剤耐性の診断を行うことができるものである。
【００５０】
上記ポリヌクレオチドは、従って、被験者における上記遺伝子の発現の有無またはその程度を検出することによって、該被験者が薬剤耐性を獲得しているか否かまたはその耐性の程度を診断することのできるツール（薬剤耐性マーカー）として有用である。
【００５１】
また上記ポリヌクレオチドは、後述の（３−１）  項に記載するような薬剤耐性の予防、改善または薬剤耐性癌の治療に有用な候補物質のスクリーニングにおいて、本発明遺伝子の発現変動を検出するためのスクリーニングツール（薬剤耐性マーカー）としても有用である。
【００５２】
本発明の薬剤耐性マーカーは、前記ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の塩基配列において、連続する少なくとも１５塩基を有するポリヌクレオチドおよび／またはそれに相補的なポリヌクレオチドからなることを特徴とするものである。
【００５３】
ここで相補的なポリヌクレオチド（相補鎖、逆鎖）とは、前記ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の塩基配列からなるポリヌクレオチドの全長配列、または該塩基配列において少なくとも連続した１５塩基長の塩基配列を有するその部分配列（ここでは便宜上、これらを「正鎖」ともいう）に対して、Ａ：Ｔ  およびＧ：Ｃ  といった塩基対関係に基づいて、塩基的に相補的な関係にあるポリヌクレオチドを意味するものである。ただし、かかる相補鎖は、対象とする正鎖の塩基配列と完全に相補配列を形成する場合に限らず、対象とする正鎖とストリンジェントな条件でハイブリダイズすることができる程度の相補関係を有するものであってもよい。なお、ここでストリンジェントな条件は、Ｂｅｒｇｅｒ  ａｎｄ  Ｋｉｍｍｅｌ  （１９８７，  Ｇｕｉｄｅ  ｔｏ  Ｍｏｌｅｃｕｌａｒ  Ｃｌｏｎｉｎｇ  Ｔｅｃｈｎｉｑｕｅｓ  Ｍｅｔｈｏｄｓ  ｉｎ  Ｅｎｚｙｍｏｌｏｇｙ，  Ｖｏｌ．  １５２，  Ａｃａｄｅｍｉｃ  Ｐｒｅｓｓ，  Ｓａｎ  Ｄｉｅｇｏ  ＣＡ）  に教示されるように、複合体或いはプローブを結合する核酸の融解温度（Ｔｍ）に基づいて決定することができる。例えばハイブリダイズ後の洗浄条件として、通常「１×ＳＳＣ  、０．１％ＳＤＳ  、３７℃」程度の条件を挙げることができる。相補鎖はかかる条件で洗浄しても対象とする正鎖とハイブリダイズ状態を維持するものであることが好ましい。特に制限されないが、より厳しいハイブリダイズ条件として「０．５  ×ＳＳＣ  、０．１％ＳＤＳ  、４２℃」程度、さらに厳しいハイブリダイズ条件として「０．１  ×ＳＳＣ  、０．１％ＳＤＳ  、６５℃」程度の洗浄条件を挙げることができる。具体的には、このような相補鎖として、対象の正鎖の塩基配列と完全に相補的な関係にある塩基配列からなる鎖、ならびに該鎖と少なくとも９０％、好ましくは９５％の相同性を有する塩基配列からなる鎖を例示することができる。
【００５４】
ここで、正鎖側のポリヌクレオチドには、前記ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子もしくはＳＰＡＰ１遺伝子の塩基配列、またはその部分配列を有するものだけでなく、上記相補鎖の塩基配列に対してさらに相補的な関係にある塩基配列からなる鎖を含めることができる。
【００５５】
さらに上記正鎖のポリヌクレオチドおよび相補鎖（逆鎖）のポリヌクレオチドは、各々一本鎖の形態で薬剤耐性マーカーとして使用されても、また二本鎖の形態で薬剤耐性マーカーとして使用されてもよい。
【００５６】
本発明の薬剤耐性マーカーは、具体的には、前記ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の塩基配列（全長配列）からなるポリヌクレオチドであってもよいし、その相補配列からなるポリヌクレオチドであってもよい。またこれら本発明遺伝子もしくは該遺伝子に由来するポリヌクレオチドを選択的に（特異的に）認識するものであれば、上記全長配列またはその相補配列の部分配列からなるポリヌクレオチドであってもよい。この場合、部分配列としては、上記全長配列またはその相補配列の塩基配列から任意に選択される少なくとも１５個の連続した塩基長を有するポリヌクレオチドを挙げることができる。
【００５７】
なお、ここで「選択的に（特異的に）認識する」とは、例えばノーザンブロット法においては、ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子もしくはＳＰＡＰ１遺伝子またはこれらに由来するポリヌクレオチドが特異的に検出できること、またＲＴ−ＰＣＲ法においては、ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子もしくはＳＰＡＰ１遺伝子またはこれらに由来するポリヌクレオチドが特異的に生成されることを意味するが、それに限定されることなく、当業者が上記検出物または生成物がこれらの遺伝子に由来するものであると判断できるものであればよい。
【００５８】
本発明の薬剤耐性マーカーは、例えば配列番号：１に記載のＰＤＺＫ１遺伝子の塩基配列、配列番号：３に記載のＭＣＬ１遺伝子、配列番号：９に記載のＫＣＮＮ３遺伝子、配列番号：１１に記載のＭＧＣ４３６５遺伝子、配列番号：１３に記載のＦＬＪ２２５３０遺伝子、配列番号：１５に記載のＩＲＴＡ２遺伝子、配列番号：１７に記載のＦＬＪ２３２２１遺伝子、配列番号：１９に記載のＳ１００Ａ６遺伝子または配列番号：２１に記載のＳＰＡＰ１遺伝子の塩基配列をもとに、例えばｐｒｉｍｅｒ３  （ＨＹＰＥＲＬＩＮＫ  ｈｔｔｐ：／／ｗｗｗ．ｇｅｎｏｍｅ．ｗｉ．ｍｉｔ．ｅｄｕ／ｃｇｉ−ｂｉｎ／ｐｒｉｍｅｒ／ｐｒｉｍｅｒ３．ｃｇｉ  ）あるいはベクターＮＴＩ  （Ｉｎｆｏｍａｘ  社製）を利用して設計することができる。具体的には前記本発明遺伝子の塩基配列を  ｐｒｉｍｅｒ  ３  またはベクターＮＴＩ  のソフトウエアにかけて得られる、プライマーまたはプローブの候補配列、若しくは少なくとも該配列を一部に含む配列をプライマーまたはプローブとして使用することができる。
【００５９】
本発明の薬剤耐性マーカーは、上述するように連続する少なくとも１５塩基の長さを有するものであればよいが、具体的にはマーカーの用途に応じて、長さを適宜選択し設定することができる。
【００６０】
（１−２）プローブまたはプライマーとしてのポリヌクレオチド
本発明において癌における薬剤耐性の検出（診断）は、被験者の生体組織または細胞におけるＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現の有無または発現レベル（発現量）を評価することによって行われる。この場合、上記本発明の薬剤耐性マーカーは、上記遺伝子の発現によって生じたＲＮＡまたはそれに由来するポリヌクレオチドを特異的に認識し増幅するためのプライマーとして、または該ＲＮＡまたはそれに由来するポリヌクレオチドを特異的に検出するためのプローブとして利用することができる。
【００６１】
本発明薬剤耐性マーカーを癌における薬剤耐性の検出（遺伝子診断）においてプライマーとして用いる場合には、通常１５ｂｐ〜１００ｂｐ  、好ましくは１５ｂｐ〜５０ｂｐ、より好ましくは１５ｂｐ〜３５ｂｐの塩基長を有するものが例示できる。また検出プローブとして用いる場合には、通常１５ｂｐ〜全配列の塩基数、好ましくは１５ｂｐ〜１ｋｂ  、より好ましくは１００ｂｐ  〜１ｋｂ  の塩基長を有するものが例示できる。
【００６２】
本発明の薬剤耐性マーカーは、ノーザンブロット法、ＲＴ−ＰＣＲ法、ｉｎ  ｓｉｔｕ  ハイブリダーゼーション法などといった、特定遺伝子を特異的に検出する公知の方法において、常法に従ってプライマーまたはプローブとして利用することができる。該利用によって癌におけるＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現の有無または発現レベル（発現量）を評価することができる。
【００６３】
測定対象試料としては、使用する検出方法の種類に応じて、被験者の生体組織の一部または細胞を採取するか、そこから常法に従って調製したｔｏｔａｌ  ＲＮＡを用いてもよいし、さらに該ＲＮＡをもとにして調製される各種のポリヌクレオチドを用いてもよい。
【００６４】
また、生体組織における本発明遺伝子の遺伝子発現レベルは、ＤＮＡマイクロアレイを利用して検出あるいは定量することができる。この場合、本発明の薬剤耐性マーカーは当該ＤＮＡマイクロアレイのプローブとして使用することができる（例えば、アフィメトリックス社の  Ｇｅｎｅ  Ｃｈｉｐ  Ｈｕｍａｎ  Ｇｅｎｏｍｅ  Ｕ９５  Ａ，Ｂ，Ｃ，Ｄ，Ｅ  の場合、２５ｂｐの長さのポリヌクレオチドプローブとして用いられる）。かかるＤＮＡマイクロアレイを、生体組織から採取したＲＮＡをもとに調製される標識ＤＮＡまたはＲＮＡとハイブリダイズさせ、該ハイブリダイズによって形成された上記プローブ（本発明薬剤耐性マーカー）と標識ＤＮＡまたはＲＮＡとの複合体を、該標識ＤＮＡまたはＲＮＡの標識を指標として検出することにより、生体組織中での本発明遺伝子の発現の有無または発現レベル（発現量）が評価できる。本発明は、本発明の薬剤耐性マーカーを含む複数のポリヌクレオチドを基盤上に配置してなるＤＮＡマイクロアレイを提供する。
【００６５】
上記ＤＮＡマイクロアレイは、１  種または２種以上の本発明薬剤耐性マーカーを含んでいればよい。複数の薬剤耐性マーカーを含むＤＮＡマイクロアレイは、ひとつの生体試料について、同時に多数の薬剤耐性遺伝子の発現の有無または発現レベルの評価が可能である。
【００６６】
本発明の薬剤耐性マーカーは、癌における薬剤耐性の診断、検出（耐性の有無や耐性の程度の診断）に有用である。具体的には、該薬剤耐性マーカーを利用した薬剤耐性の診断は、被験者の生体組織と正常者の生体組織または治療前の被験者の生体組織とにおける本発明遺伝子の遺伝子発現レベルの違いを判定することによって行うことができる。この場合、遺伝子発現レベルの違いには、発現のある／なしの違いだけでなく、被験者の生体組織と正常者の生体組織の両者ともに発現がある場合でも、両者間の発現量の格差が１．５倍以上、好ましくは２倍以上の場合が含まれる。具体的にはＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子およびＳＰＡＰ１遺伝子は癌での薬剤耐性獲得により発現が増加するので、該発現量が正常者の生体組織の発現量と比べて１．５倍以上、好ましくは２倍以上多ければ、被験者について薬剤耐性が疑われる。
【００６７】
（１−３  ）抗体
本発明は、薬剤耐性マーカーとして、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１を特異的に認識することのできる抗体を提供する。
【００６８】
ここで、ＰＤＺＫ１としては配列番号１に示されるポリヌクレオチドによってコードされるタンパク質、ＭＣＬ１としては配列番号３に示されるポリヌクレオチドによってコードされるタンパク質、ＫＣＮＮ３としては配列番号１０に示されるポリヌクレオチドによってコードされるタンパク質、ＭＧＣ４３６５としては配列番号１２に示されるポリヌクレオチドによってコードされるタンパク質、ＦＬＪ２２５３０としては配列番号１４に示されるポリヌクレオチドによってコードされるタンパク質、ＩＲＴＡ２としては配列番号１６に示されるポリヌクレオチドによってコードされるタンパク質、ＦＬＪ２３２２１としては配列番号１８に示されるポリヌクレオチドによってコードされるタンパク質、Ｓ１００Ａ６としては配列番号２０に示されるポリヌクレオチドによってコードされるタンパク質、ＳＰＡＰ１としては配列番号２２に示されるポリヌクレオチドによってコードされるタンパク質を挙げることができる。
【００６９】
なお、配列番号１に示されるポリヌクレオチドによってコードされるタンパク質の具体的様態としては配列番号２で示されるアミノ酸配列を有するタンパク質を、配列番号３に示されるポリヌクレオチドによってコードされるタンパク質の具体的様態としては配列番号４で示されるアミノ酸配列を有するタンパク質を、配列番号９に示されるポリヌクレオチドによってコードされるタンパク質の具体的様態としては配列番号１０で示されるアミノ酸配列を有するタンパク質を、配列番号１１に示されるポリヌクレオチドによってコードされるタンパク質の具体的様態としては配列番号１２で示されるアミノ酸配列を有するタンパク質を、配列番号１３に示されるポリヌクレオチドによってコードされるタンパク質の具体的様態としては配列番号１４で示されるアミノ酸配列を有するタンパク質を、配列番号１５に示されるポリヌクレオチドによってコードされるタンパク質の具体的様態としては配列番号１６で示されるアミノ酸配列を有するタンパク質を、配列番号１７に示されるポリヌクレオチドによってコードされるタンパク質の具体的様態としては配列番号１８で示されるアミノ酸配列を有するタンパク質を、配列番号１９に示されるポリヌクレオチドによってコードされるタンパク質の具体的様態としては配列番号２０で示されるアミノ酸配列を有するタンパク質を、配列番号２１に示されるポリヌクレオチドによってコードされるタンパク質の具体的様態としては配列番号２２で示されるアミノ酸配列を有するタンパク質を、例示することができる。
【００７０】
上記抗体は、被験者における上記タンパク質の発現の有無またはその程度を検出することによって、該被験者が薬剤耐性を獲得しているか否かまたはその耐性の程度を診断することのできるツール（薬剤耐性マーカー）として有用である。
【００７１】
また上記抗体は、後述の（３−２）  項に記載するような癌における薬剤耐性の予防、改善または薬剤耐性癌の治療に有用な候補物質のスクリーニングにおいて、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１のいずれかの発現変動を検出するためのスクリーニングツール（薬剤耐性マーカー）としても有用である。
【００７２】
本発明の抗体は、その形態に特に制限はなく、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１を免疫抗原とするポリクローナル抗体であっても、またそのモノクローナル抗体であってもよい。さらにこれら本発明タンパク質のアミノ酸配列のうち少なくとも連続する、通常８アミノ酸、好ましくは１５アミノ酸、より好ましくは２０アミノ酸からなるポリペプチドに対して抗原結合性を有する抗体も、本発明の抗体に含まれる。
【００７３】
抗体の製造方法は公知であり（Ｃｕｒｒｅｎｔ  Ｐｒｏｔｏｃｏｌ  ｉｎ  Ｍｏｌｅｃｕｌａｒ  Ｂｉｏｌｏｇｙ，  Ｃｈａｐｔｅｒ  １１．１２〜１１．１３（２０００）  ）、本発明の抗体も常法に従って製造することができる。具体的には、本発明の抗体がポリクローナル抗体の場合には、常法に従って大腸菌等で発現し精製した本発明タンパク質を用いて、あるいは常法に従ってこれら本発明タンパク質の部分アミノ酸配列を有するオリゴペプチドを合成して、家兎等の非ヒト動物に免疫し、該免疫動物の血清から常法に従って得ることが可能である。一方、モノクローナル抗体の場合には、常法に従って大腸菌等で発現し精製した本発明タンパク質またはこれらタンパク質の部分アミノ酸配列を有するオリゴペプチドをマウス等の非ヒト動物に免疫し、得られた脾臓細胞と骨髄腫細胞とを細胞融合させて調製したハイブリドーマ細胞の中から得ることができる（Ｃｕｒｒｅｎｔ  ｐｒｏｔｏｃｏｌｓ  ｉｎ  Ｍｏｌｅｃｕｌａｒ  Ｂｉｏｌｏｇｙ  ｅｄｉｔ．  Ａｕｓｕｂｅｌ  ｅｔ  ａｌ．  （１９８７）  Ｐｕｂｌｉｓｈ．  Ｊｏｈｎ  Ｗｉｌｅｙ  ａｎｄ  Ｓｏｎｓ．  Ｓｅｃｔｉｏｎ  １１．４  〜１１．１１  ）。
【００７４】
抗体の作製に免疫抗原として使用される本発明タンパク質は、本発明により提供される遺伝子の配列情報（配列番号１、３、９、１１、１３、１５、１７、１９、２１）に基づいて、ＤＮＡクローニング、各プラスミドの構築、宿主へのトランスフェクション、形質転換体の培養および培養物からのタンパク質の回収の操作により得ることができる。これらの操作は、当業者に既知の方法、あるいは文献記載の方法（Ｍｏｌｅｃｕｌａｒ  Ｃｌｏｎｉｎｇ，  Ｔ．Ｍａｎｉａｔｉｓ  ｅｔ  ａｌ．，  ＣＳＨ  Ｌａｂｏｒａｔｏｒｙ  （１９８３），  ＤＮＡ  Ｃｌｏｎｉｎｇ，  ＤＭ．  Ｇｌｏｖｅｒ，  ＩＲＬ  ＰＲＥＳＳ  （１９８５））などに準じて行うことができる。
【００７５】
具体的には、本発明タンパク質をコードする遺伝子が所望の宿主細胞中で発現できる組み換えＤＮＡ（発現ベクター）を作製し、これを宿主細胞に導入して形質転換し、該形質転換体を培養して、得られる培養物から、目的タンパク質を回収することによって、本発明抗体の製造のための免疫抗原としてのタンパク質を得ることができる。また、これら本発明タンパク質の部分ペプチドは、本発明により提供されるアミノ酸配列の情報（配列番号２、４、１０、１２、１４、１６、１８、２０、２２）に従って、一般的な化学合成法（ペプチド合成）によって製造することもできる。
【００７６】
なお、本発明タンパク質には、配列番号２、４、１０、１２、１４、１６、１８、２０または２２に示す各アミノ酸配列に関わるタンパク質のみならず、その相同物も包含される。該相同物としては、上記配列番号２、４、１０、１２、１４、１６、１８、２０または２２のいずれかで示されるアミノ酸配列において、１若しくは複数のアミノ酸が欠失、置換または付加されたアミノ酸配列からなり、且つ改変前の元のタンパク質と免疫学的に同等の活性を有するタンパク質を挙げることができる。
【００７７】
ここで同等の免疫学的活性を有するタンパク質としては、適当な動物あるいはその細胞において特定の免疫反応を誘発し、かつ本発明タンパク質に対する抗体と特異的に結合する能力を有するタンパク質を挙げることができる。
【００７８】
なお、タンパク質におけるアミノ酸の変異数や変異部位は、その免疫学的活性が保持される限り制限はない。免疫学的活性を喪失することなくアミノ酸残基が、どのように、何個置換、挿入あるいは欠失されればよいかを決定する指標は、当業者に周知のコンピュータプログラム、例えばＤＮＡ  Ｓｔａｒ  ｓｏｆｔｗａｒｅ  を用いて見出すことができる。例えば変異数は、典型的には、全アミノ酸の１０％以内であり、好ましくは全アミノ酸の５％以内であり、さらに好ましくは全アミノ酸の１％以内である。また置換されるアミノ酸は、置換後に得られるタンパク質が本発明タンパク質と同等の免疫学的活性を保持している限り、特に制限されないが、タンパク質の構造保持の観点から、残基の極性、電荷、可溶性、疎水性、親水性ならびに両親媒性など、置換前のアミノ酸と似た性質を有するアミノ酸であることが好ましい。例えば、Ａｌａ  、Ｖａｌ  、Ｌｅｕ  、Ｉｌｅ  、Ｐｒｏ  、Ｍｅｔ  、Ｐｈｅ  およびＴｒｐ  は互いに非極性アミノ酸に分類されるアミノ酸であり、Ｇｌｙ  、Ｓｅｒ  、Ｔｈｒ  、Ｃｙｓ  、Ｔｙｒ  、Ａｓｎ  およびＧｌｎ  は互いに非荷電性アミノ酸に分類されるアミノ酸であり、Ａｓｐ  およびＧｌｕ  は互いに酸性アミノ酸に分類されるアミノ酸であり、またＬｙｓ  、Ａｒｇ  およびＨｉｓ  は互いに塩基性アミノ酸に分類されるアミノ酸である。ゆえに、これらを指標として同群に属するアミノ酸を適宜選択することができる。
【００７９】
本発明の抗体は、また、本発明タンパク質の部分アミノ酸配列を有するオリゴペプチドを用いて調製されるものであってよい。かかる抗体の製造のために用いられるオリゴ（ポリ）ペプチドは、機能的な生物活性を有することは要しないが、本発明タンパク質と同様な免疫原特性を有するものであることが望ましい。好ましくはこの免疫原特性を有し、且つ本発明タンパク質のアミノ酸配列において少なくとも連続する８アミノ酸、好ましくは１５アミノ酸、より好ましくは２０アミノ酸からなるオリゴ（ポリ）ペプチドを例示することができる。
【００８０】
かかるオリゴ（ポリ）ペプチドに対する抗体の製造は、宿主に応じて種々のアジュバントを用いて免疫学的反応を高めることによって行うこともできる。限定はされないが、そのようなアジュバントには、フロイントアジュバント、水酸化アルミニウムのようなミネラルゲル、ならびにリゾレシチン、プルロニックポリオル、ポリアニオン、ペプチド、油乳剤、キーホールリンペットヘモシアニンおよびジニトロフェノールのような表面活性物質、ＢＣＧ（カルメット−ゲラン桿菌）やコリネバクテリウム−  パルヴムなどのヒトアジュバントが含まれる。
【００８１】
本発明の抗体は、本発明タンパク質に特異的に結合する性質を有することから、該抗体を利用することによって、被験者の組織内に発現した上記タンパク質を特異的に検出することができる。すなわち、当該抗体は被験者の組織内におけるＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１のタンパク発現の有無を検出するためのプローブとして有用である。
【００８２】
具体的には、患者の生体組織の一部をバイオプシ等で採取するか、または血液から血球成分を分離し、そこから常法に従ってタンパク質を調製して、例えばウェスタンブロット法、ＥＬＩＳＡ法など公知の検出方法において、上記抗体を常法に従ってプローブとして使用することによって、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１を検出することができる。
【００８３】
薬剤耐性の診断に際しては、被験者の癌組織における本発明タンパク質のいずれかと正常な組織におけるこれらのタンパク質との量の違いを判定すればよい。この場合、タンパク量の違いには、タンパク質の有無、あるいはタンパク量の違いが１．５倍以上、好ましくは２倍以上の場合が含まれる。具体的には、本発明タンパク質は薬剤耐性を獲得する際に発現が増加するので、被験者の癌組織で該遺伝子の発現産物（ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１）が存在しており、該量が正常な組織の発現産物量と比べて１．５倍以上、好ましくは２倍以上多いことが判定されれば、薬剤耐性が疑われる。
【００８４】
（２）薬剤耐性の検出方法（診断方法）
本発明は、前述した本発明薬剤耐性マーカーを利用した癌における薬剤耐性の検出方法（診断方法）を提供するものである。
【００８５】
具体的には、本発明の検出方法（診断方法）は、被験者の組織の一部をバイオプシ等で採取するか、血液から血球成分を分離し、そこに含まれる薬剤耐性に関連するＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子のいずれかの遺伝子発現レベル、およびこれらの遺伝子に由来するタンパク質（ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１）を検出し、その発現量またはそのタンパク質量を測定することにより、薬剤耐性獲得の有無またはその程度を診断するものである。また本発明の検出（診断）方法は、例えば癌患者において、薬剤耐性の改善のための処置を施した後における薬剤耐性の改善の有無またはその程度を検出（診断）することもできる。
【００８６】
本発明の検出方法は次の（ａ）  、（ｂ）  および（ｃ）  の工程を含むものである：
（ａ）  被験者の生体試料と本発明の薬剤耐性マーカーを接触させる工程、
（ｂ）  生体試料中の本発明遺伝子の遺伝子発現レベルまたは本発明タンパク質のタンパク質量を、上記薬剤耐性マーカーを指標として測定する工程、
（ｃ）  （ｂ）  の結果をもとに、薬剤耐性の獲得を判断する工程。
【００８７】
ここで用いられる生体試料としては、具体的には、生体組織から調製されるＲＮＡ含有試料、若しくはそれからさらに調製されるポリヌクレオチドを含む試料、または生体組織から調製されるタンパク質を含む試料を挙げることができる。かかるＲＮＡ、ポリヌクレオチドまたはタンパク質を含む試料は、被験者の組織の一部をバイオプシ等で採取するか、血液から血球成分を分離し、そこから常法に従って調製することができる。
【００８８】
本発明の診断方法は、測定対象として用いる生体試料の種類に応じて、具体的には下記のようにして実施される。
【００８９】
（２−１）  測定対象の生体試料としてＲＮＡを利用する場合
測定対象物としてＲＮＡを利用する場合、薬剤耐性獲得の検出は、具体的に下記の工程（ａ）  、（ｂ）  および（ｃ）  を含む方法によって実施することができる：
（ａ）  被験者の生体試料から調製されたＲＮＡまたはそれから転写された相補的ポリヌクレオチドと、前記本発明の薬剤耐性マーカー（ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の塩基配列において連続する少なくとも１５塩基を有するポリヌクレオチドおよび／または該ポリヌクレオチドに相補的なポリヌクレオチド）とを結合させる工程、
（ｂ）  該薬剤耐性マーカーに結合した生体試料由来のＲＮＡまたは該ＲＮＡから転写された相補的ポリヌクレオチドを、上記薬剤耐性マーカーを指標として測定する工程、
（ｃ）  上記（ｂ）  の測定結果に基づいて、薬剤耐性の獲得を判断する工程。
【００９０】
この場合、本発明の検出方法（診断方法）は、該ＲＮＡ中の本発明遺伝子のいずれかの発現レベルを検出し、測定することによって実施される。具体的には、本発明の検出方法（診断方法）は、本発明の薬剤耐性マーカーをプライマーまたはプローブとして用いて、ノーザンブロット法、ＲＴ−ＰＣＲ法、ＤＮＡマイクロアレイ解析法、ｉｎ  ｓｉｔｕ  ハイブリダイゼーション解析法などにより前記薬剤耐性マーカーへのＲＮＡまたはその転写物の結合量が増大していることを指標として行うことにより実施できる。
【００９１】
ノーザンブロット法を利用する場合は、本発明の上記薬剤耐性マーカーをプローブとして用いることによって、ＲＮＡ中の本発明遺伝子の発現の有無やその発現レベルを検出、測定することができる。具体的には、本発明の薬剤耐性マーカー（相補鎖）を放射性同位元素（３２Ｐ  、３３Ｐ  など：ＲＩ）や蛍光物質などで標識し、それを、常法に従ってナイロンメンブレン等にトランスファーした被験者の生体組織由来のＲＮＡとハイブリダイズさせた後、形成された薬剤耐性マーカー（ＤＮＡ）とＲＮＡとの二重鎖を、薬剤耐性マーカーの標識物（ＲＩ若しくは蛍光物質）に由来するシグナルを放射線検出器（ＢＡＳ−１８００ＩＩ、富士フィルム社製）または蛍光検出器で検出、測定する方法を例示することができる。また、ＡｌｋＰｈｏｓ  Ｄｉｒｅｃｔ  Ｌａｂｅｌｌｉｎｇ  ａｎｄ  Ｄｅｔｅｃｔｉｏｎ  Ｓｙｓｔｅｍ  （Ａｍｅｒｓｈａｍ  ＰｈａｒａｍｃｉａＢｉｏｔｅｃｈ社製）  を用いて、該プロトコールに従って薬剤耐性マーカー（プローブＤＮＡ）を標識し、被験者の生体組織由来のＲＮＡとハイブリダイズさせた後、薬剤耐性マーカーの標識物に由来するシグナルをマルチバイオイメージャーＳＴＯＲＭ８６０（Ａｍｅｒｓｈａｍ  Ｐｈａｒｍａｃｉａ  Ｂｉｏｔｅｃｈ社製）で検出、測定する方法を使用することもできる。
【００９２】
ＲＴ−ＰＣＲ法を利用する場合は、本発明の上記薬剤耐性マーカーをプライマーとして用いることによって、ＲＮＡ中の本発明遺伝子の発現の有無や発現レベルを検出、測定することができる。具体的には、被験者の生体組織由来のＲＮＡから常法に従ってｃＤＮＡを調製して、これを鋳型として標的のＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の領域が増幅できるように、本発明の薬剤耐性マーカーから調製した一対のプライマー（上記ｃＤＮＡ（−鎖）に結合する正鎖、＋鎖に結合する逆鎖）をこれとハイブリダイズさせて、常法に従ってＰＣＲ法を行い、得られた増幅二本鎖ＤＮＡを検出する方法を例示することができる。なお、増幅された二本鎖ＤＮＡの検出は、上記ＰＣＲを予め放射性同位元素や蛍光物質で標識しておいたプライマーを用いて行うことによって産生される標識二本鎖ＤＮＡを検出する方法、産生された二本鎖ＤＮＡを常法に従ってナイロンメンブレン等にトランスファーさせて、標識した薬剤耐性マーカーをプローブとして使用してこれとハイブリダイズさせて検出する方法などを用いることができる。なお、生成された標識二本鎖ＤＮＡ産物はアジレント２１００バイオアナライザ（横河アナリティカルシステムズ社製）などで測定することができる。また、ＳＹＢＲ  Ｇｒｅｅｎ  ＲＴ−ＰＣＲ  Ｒｅａｇｅｎｔｓ  （Ａｐｐｌｉｅｄ  Ｂｉｏｓｙｓｔｅｍｓ社製）  で該プロトコールに従ってＲＴ−ＰＣＲ反応液を調製し、ＡＢＩ  ＰＲＩＳＭ  ７７００  Ｓｅｑｕｅｎｃｅ  Ｄｅｔｅｃｔｉｏｎ  Ｓｙｓｔｅｍ  （Ａｐｐｌｉｅｄ  Ｂｉｏｓｙｓｔｅｍｓ社製）  で反応させて、該反応物を検出することもできる。
【００９３】
ＤＮＡマイクロアレイ解析を利用する場合は、本発明の上記薬剤耐性マーカーを含む多数のＤＮＡをプローブ（１本鎖または２本鎖）として貼り付けたＤＮＡチップを用意し、これに被験者の生体組織由来のＲＮＡから常法によって調製されたｃＲＮＡとハイブリダイズさせて、形成されたＤＮＡとｃＲＮＡとの二本鎖を、本発明の薬剤耐性マーカーから調製される標識プローブと結合させて検出する方法を挙げることができる。かかる遺伝子の発現レベルを検出、測定することができるＤＮＡチップとしては、Ａｆｆｙｍｅｔｒｉｘ社のＧｅｎｅ  Ｃｈｉｐ  Ｈｕｍａｎ  Ｇｅｎｏｍｅ  Ｕ９５  Ａ，  Ｂ，Ｃ，  Ｄ，  Ｅ  を挙げることができる。
【００９４】
（２−２）  測定対象の生体試料としてタンパク質を用いる場合
測定対象物としてタンパク質を用いる場合は、本発明の薬剤耐性の獲得の検出方法（診断方法）は、生体試料中の本発明タンパク質を検出し、その量を測定することによって実施される。具体的には下記の工程（ａ）  、（ｂ）  および（ｃ）  を含む方法によって実施することができる：
（ａ）  被験者の生体試料から調製されたタンパク質と本発明の薬剤耐性マーカー（ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１を認識する抗体）とを結合させる工程、
（ｂ）  該薬剤耐性マーカーに結合した生体試料由来のタンパク質を、上記薬剤耐性マーカーを指標として測定する工程、
（ｃ）  上記（ｂ）  の測定結果に基づいて、薬剤耐性の獲得を判断する工程。
【００９５】
より具体的には、本発明の薬剤耐性の獲得の検出方法（診断方法）は、本発明の薬剤耐性マーカーを用いて、ウエスタンブロット法などにより当該マーカーへの本発明タンパク質の結合量が増大していることを指標として行うことにより実施できる。
【００９６】
ウエスタンブロット法は、一次抗体として本発明マーカーを用いた後、二次抗体として１２５  Ｉなどの放射性同位元素、蛍光物質、ホースラディッシュペルオキシターゼ（ＨＲＰ  ）などの酵素等で標識した標識抗体（一次抗体に結合する抗体）を用い、得られる標識化合物の放射性同位元素、蛍光物質などに由来するシグナルを放射線測定器（ＢＡＳ−１８００ＩＩ：富士フィルム社製など）、蛍光検出器などで検出し、測定することによって実施できる。また、一次抗体として本発明薬剤耐性マーカーを用いた後、ＥＣＬ  Ｐｌｕｓ  Ｗｅｓｔｅｒｎ  Ｂｌｏｔｔｉｎｇ  Ｄｅｔｅｃｔｉｏｎ  Ｓｙｓｔｅｍ  （アマシャム  ファルマシアバイオテク社製）  を用いて、該プロトコールに従って検出し、マルチバイオイメージャーＳＴＯＲＭ８６０（  アマシャム  ファルマシアバイオテク社製）  で測定することもできる。
【００９７】
また、本発明マーカーを含む多数の抗体をプローブとして貼り付けたプロテインチップを用意し、これに被験者の生体組織由来のタンパク質を接触させて、形成された抗体とタンパク質（抗原）との複合体を検出する方法を挙げることができる。
【００９８】
本発明は、前記プロテインチップを提供する。かかるプロテインチップとしては、Ｃｉｐｈｅｒｇｅｎ  社のバイオロジカルチップなどを挙げることができる。
【００９９】
（３）候補薬のスクリーニング方法
（３−１）  遺伝子発現レベルを指標とするスクリーニング方法
本発明は、ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現を抑制する物質のスクリーニング方法を提供する。
【０１００】
本発明のスクリーニング方法は次の工程（ａ）  、（ｂ）  および（ｃ）  を含む：
（ａ）  被験物質と本発明遺伝子を発現可能な細胞とを接触させる工程、
（ｂ）  被験物質を接触させた細胞における本発明遺伝子の発現量を測定し、該発現量を被験物質を接触させない対照細胞における上記に対応する遺伝子の発現量と比較する工程、
（ｃ）  上記（ｂ）  の比較結果に基づいて、本発明遺伝子の発現量を減少させる被験物質を選択する工程。
【０１０１】
かかるスクリーニングに用いられる細胞としては、内在性および外来性を問わず、本発明遺伝子を発現する培養細胞全般を挙げることができる。培養細胞においてこれら本発明遺伝子が発現しているか否かは、公知のノーザンブロット法やＲＴ−ＰＣＲ法にてこれらの遺伝子発現を検出することにより、容易に確認することができる。
【０１０２】
具体的には、例えば癌患者より単離、調製した生体組織や血球由来の細胞、または本発明遺伝子のいずれかを導入した細胞等を挙げることができる。
【０１０３】
前記遺伝子導入細胞としては、通常遺伝子導入に用いられる宿主細胞、すなわちＣＯＰ  、Ｌ  、Ｃ１２７、Ｓｐ２／０  、ＮＳ−１、ＮＩＨ３Ｔ３、ＳＴ２  等のマウス由来細胞、ラット由来細胞、ＢＨＫ  、ＣＨＯ  等のハムスター由来細胞、ＣＯＳ１、ＣＯＳ３、ＣＯＳ７、ＣＶ１  、Ｖｅｒｏ等のサル由来細胞、ＨｅＬａ、２９３  等のヒト由来細胞、およびＳｆ９  、Ｓｆ２１、Ｈｉｇｈ  Ｆｉｖｅ  等の昆虫由来細胞などが例示される。
【０１０４】
さらに、本発明のスクリーニング方法に用いられる細胞には、細胞の集合体である組織なども含まれる。
【０１０５】
本発明のスクリーニング方法によってスクリーニングされる被験物質（候補物質）は、制限されないが、核酸（本発明のアンチセンスヌクレオチドおよび二本鎖ＲＮＡを含む）、ペプチド、タンパク質、有機化合物、無機化合物などであり、本発明スクリーニングは、具体的にはこれらの被験物質またはこれらを含む試料（被験試料）を上記細胞および／または組織と接触させることにより行われる。かかる被験試料としては、被験物質を含む細胞抽出液、遺伝子ライブラリーの発現産物、合成低分子化合物、合成ペプチド、天然化合物などが挙げられるが、これらに制限されない。
【０１０６】
また本発明スクリーニングに際して、被験物質と細胞とを接触させる条件は、特に制限されないが、該細胞が死滅せず且つ本発明遺伝子を発現できる培養条件（温度、ｐＨ、培地組成など）を選択するのが好ましい。
【０１０７】
このスクリーニング方法によって、薬剤耐性を薬剤感受性にする候補物質を提供することができる。
【０１０８】
候補物質の選別は、具体的には本発明遺伝子が発現している細胞を用いる場合は、被験物質（候補物質）を添加した細胞における前記本発明遺伝子の発現レベルが、被験物質（候補物質）を添加しない細胞のそのレベルに比して低くなることをもって行うことができる。
【０１０９】
このような本発明のスクリーニング方法における遺伝子発現レベルの検出および定量は、前記細胞から調製したＲＮＡまたは該ＲＮＡから転写された相補的ポリヌクレオチドと本発明の薬剤耐性マーカーとを用いて、前記（２−１）  項に記述したように、ノーザンブロット法、ＲＴ−ＰＣＲ法など公知の方法、あるいはＤＮＡマイクロアレイを利用する方法に従って実施できる。指標とする遺伝子発現レベルの低下（抑制、減少）の程度は、被験物質（候補物質）を接触させた細胞における本発明遺伝子の発現が、被験物質（候補物質）を接触させない対照細胞における発現量と比較して１０％、好ましくは３０％、特に好ましくは５０％以上の低下（抑制、減少）を例示することができる。
【０１１０】
また本発明遺伝子の発現レベルの検出および定量は、これら本発明遺伝子の発現を制御する遺伝子領域（発現制御領域）に、例えばルシフェラーゼ遺伝子などの発現マーカー遺伝子をつないだ融合遺伝子を導入した細胞株を用いて、発現マーカー遺伝子由来のタンパク質の活性を測定することによっても実施できる。本発明のＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子のいずれかの発現抑制物質のスクリーニング方法には、かかる発現マーカー遺伝子の発現量を指標として標的物質を探索する方法も包含されるものであり、この意味において、前記「ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子」の概念には、これら本発明遺伝子の発現制御領域と発現マーカー遺伝子などとの融合遺伝子が含まれる。
【０１１１】
なお、上記発現マーカー遺伝子としては、発光反応や呈色反応を触媒する酵素の構造遺伝子が好ましい。具体的には、上記のルシフェラーゼ遺伝子のほか、分泌型アルカリフォスファターゼ遺伝子、クロラムフェニコール・アセチルトランスフェラーゼ遺伝子、βグルクロニダーゼ遺伝子、βガラクトシダーゼ遺伝子、およびエクオリン遺伝子などのレポーター遺伝子が例示できる。
【０１１２】
ここで前記本発明遺伝子の発現制御領域は、例えば該遺伝子の転写開始部位上流約１ｋｂ、好ましくは約２ｋｂ  を用いることができる。
【０１１３】
融合遺伝子の作成、および発現マーカー遺伝子由来の活性測定は公知の方法で行うことができる。
【０１１４】
本発明のスクリーニング方法により選別される物質は、本発明遺伝子の遺伝子発現抑制剤として位置づけることができる。これらの物質が有する本発明遺伝子に対する発現抑制作用は、癌の薬剤耐性を含む癌の悪性度に深く関わっているものと考えられる。よってこれらの物質は、癌を緩和または抑制（改善、治療）する薬物の有力な候補物質となる。
【０１１５】
（３−２）タンパク質の発現量を指標とするスクリーニング方法
本発明は、ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１のいずれかの発現を抑制する（減少させる）物質をスクリーニングする方法を提供する。
【０１１６】
本発明スクリーニング方法は、次の工程（ａ）  、（ｂ）  および（ｃ）  を含む：
（ａ）  被験物質と本発明タンパク質のいずれかを発現可能な細胞とを接触させる工程、
（ｂ）  被験物質を接触させた細胞における本発明タンパク質の発現量を測定し、該発現量を被験物質を接触させない対照細胞における上記に対応するタンパク質の発現量と比較する工程、
（ｃ）  上記（ｂ）の比較結果に基づいて、本発明タンパク質の発現量を減少させる被験物質を選択する工程。
【０１１７】
本発明スクリーニングに用いられる細胞は、内在性および外来性を問わず、本発明遺伝子を発現し、発現産物としての本発明タンパク質を有する培養細胞全般を挙げることができる。ここで本発明タンパク質の発現は、遺伝子産物であるタンパク質を公知のウエスタンブロット法にて検出することにより、容易に確認することができる。該細胞としては、具体的には、前記（３−１）に記載した細胞が挙げられる。また当該細胞の範疇には、その細胞膜画分、細胞質画分、細胞核画分なども含まれる。
【０１１８】
本発明スクリーニング方法によってスクリーニングされる被験物質（候補物質）は、制限されないが、核酸（本発明のアンチセンスヌクレオチドおよび二本鎖ＲＮＡを含む）、ペプチド、タンパク質、有機化合物、無機化合物などであり、本発明スクリーニングは、具体的にはこれらの被験物質またはこれらを含む試料（被験試料）を上記細胞や細胞膜画分と接触させることにより行われる。かかる被験試料としては、被験物質を含む細胞抽出液、遺伝子ライブラリーの発現産物、合成低分子化合物、合成ペプチド、天然化合物などが挙げられるが、これらに制限されない。
【０１１９】
本発明のスクリーニング方法は、本発明タンパク質の発現量を低下させる物質を探索することによって、癌の薬剤耐性を含む癌の悪性度を緩和または抑制（改善、治療）する候補物質を提供するものである。
【０１２０】
本発明のスクリーニング方法により選別される物質は、本発明タンパク質の発現抑制剤として位置づけることができる。これらの物質が有する本発明タンパク質に対する発現抑制作用は、癌の薬剤耐性を含む癌の悪性度に深く関わっているものと考えられる。よってこれらの物質は、癌の悪性度を緩和または抑制（改善、治療）する薬物の有力な候補物質となる。
【０１２１】
候補物質の選別は、具体的にはＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１を発現産生している細胞を用いる場合は、被験物質（候補物質）を添加した細胞における前記本発明タンパク質のタンパク量（レベル）が、被験物質（候補物質）を添加しない細胞のその量（レベル）に比して低くなることを指標として行うことができる。
【０１２２】
本発明のスクリーニング方法にかかる本発明タンパク質の産生量は、前述したように、例えば本発明薬剤耐性マーカーなどの抗体を用いたウエスタンブロット法などの公知方法に従って定量できる。
【０１２３】
（３−３）  タンパク質の機能（活性）を指標とするスクリーニング方法
本発明は、本発明タンパク質の過剰発現に基づく細胞の薬剤耐性を低減する物質をスクリーニングする方法を提供する。本発明のスクリーニング方法は次の工程（ａ）  、（ｂ）  および（ｃ）  を含む：
（ａ）  被験物質および薬剤と、本発明タンパク質を過剰発現する細胞とを接触させる工程、
（ｂ）  上記（ａ）の工程に起因して生じる細胞の薬剤耐性度を測定し、被験物質を接触させない場合の上記（ａ）の細胞の薬剤耐性度と比較する工程、
（ｃ）  上記（ｂ）の比較結果に基づいて、上記（ａ）の細胞の薬剤耐性を低減させる被験物質を選択する工程。
【０１２４】
また、本発明のスクリーニング方法に用いられる細胞としては、内在性および外来性を問わず、本発明タンパク質を過剰発現する細胞を挙げることができる。該細胞としては、具体的には、前記（３−１）項に記載した細胞の中から本発明タンパク質を高発現する細胞を選択して用いることができる。
【０１２５】
薬剤耐性／感受性に用いる薬剤としては、癌の化学療法に用いられる薬剤が制限なく用いられるが、例えば、メルファラン（ＭＥＬ）  、シスプラチン（ｃＤＤＰ）、ビンクリスチン（ＶＣＲ）  、デキサメタゾン（ＤＥＸ）  、アドリアマイシン（ＡＤＭ）  、ミトザントロン（ＭＩＴ）  、ダウノルビシン（ＤＮＲ）  、およびサリドマイド（ＴＨＡＬ）などが挙げられる。ＭＭの薬剤耐性に関しては、メルファラン（ＭＥＬ）  、シスプラチン（ｃＤＤＰ）、ビンクリスチン（ＶＣＲ）  、およびデキサメタゾン（ＤＥＸ）  などが好ましい。前記薬剤は、市販品を好適に使用することができる。
【０１２６】
本発明のスクリーニング方法は、本発明タンパク質の過剰発現に基づく細胞の薬剤耐性を低減させる物質を探索することによって、癌の薬剤耐性を含む癌の悪性度を緩和または抑制（改善、治療）する候補物質を提供するものである。
【０１２７】
候補物質の選別は、具体的には本発明タンパク質を発現し、前記いずれかの薬剤に対する耐性を獲得している細胞を用いて、被験物質（候補物質）と耐性薬剤とを添加した細胞の生存能が、被験物質（候補物質）を添加せずに耐性薬剤を添加した細胞の生存能に比して低くなることを指標として行うことができる。
【０１２８】
前記細胞の生存能は、ＭＴＴアッセイなどの公知の方法により調べることができる。ＭＴＴアッセイは、実施例に詳細に記載されている。
【０１２９】
本発明スクリーニング方法によってスクリーニングされる被験物質（  候補物質）  は、制限されないが、核酸、ペプチド、蛋白質（ＰＤＺＫ１、ＭＣＬ１、ＫＣＮＮ３、ＭＧＣ４３６５、ＦＬＪ２２５３０、ＩＲＴＡ２、ＦＬＪ２３２２１、Ｓ１００Ａ６またはＳＰＡＰ１に対する抗体を含む）、有機化合物、無機化合物などであり、本発明スクリーニングは、具体的にはこれらの被験物質またはこれらを含む試料（  被験試料）  を上記細胞と接触させることにより行われる。被験試料としては、被験物質を含む、細胞抽出液、遺伝子ライブラリーの発現産物、合成低分子化合物、合成ペプチド、天然化合物などが挙げられるが、これらに制限されない。
【０１３０】
本発明は、本発明遺伝子の増幅に起因する薬剤耐性を示す癌において本発明遺伝子の発現を抑制するアンチセンスヌクレオチドを提供する。前記アンチセンスヌクレオチドは、例えば、ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の少なくとも８塩基以上の部分に対応するアンチセンスオリゴヌクレオチド、アンチセンスＲＮＡ、アンチセンスＤＮＡなどが含まれる。具体的には、配列番号：１  、３、９、１１、１３、１５、１７、１９または２１のいずれかに記載の塩基配列の少なくとも８塩基以上の部分に対応するアンチセンスオリゴヌクレオチド、アンチセンスＲＮＡ、アンチセンスＤＮＡなどが含まれる。
【０１３１】
また、前記アンチセンスヌクレオチドには化学修飾体を含んでもよく、当該化学修飾体としては例えばホスホロチオエート、ホスホロジチオエート、アルキルホスホトリエステル、アルキルホスホナート、アルキルホスホアミデートなどの、細胞内への移行性または細胞内での安定性を高め得る誘導体（”Ａｎｔｉｓｅｎｓｅ  ＲＮＡ  ａｎｄ  ＤＮＡ”  ＷＩＬＥＹ−ＬＩＳＳ刊、１９９２年、ｐｐ．１−５０  、Ｊ．  Ｍｅｄ．  Ｃｈｅｍ．  ３６，  １９２３−１９３７（１９９３）  ）が含まれる。これらは常法に従い合成することもできるし、市販品を好適に使用することもできる。
【０１３２】
アンチセンスヌクレオチドの長さは目的に応じて適宜設定することができ、含まれる化学修飾体の数も適宜設定することができる。遺伝子の発現の抑制のためには、通常８〜２００塩基程度である。
【０１３３】
アンチセンスヌクレオチドは、細胞内でセンス鎖ｍＲＮＡに結合して、目的遺伝子の発現、即ちＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現を抑制することができる。
【０１３４】
本発明は、本発明遺伝子の増幅に起因する薬剤耐性を示す癌において本発明遺伝子の発現を抑制する二本鎖ＲＮＡを提供する。
【０１３５】
前記二本鎖ＲＮＡは、ＲＮＡｉ（ｉｎｔｅｒｆｅｒｅｎｃｅ）  ともいわれるものであり、前記アンチセンスヌクレオチドと同等以上の発現抑制効果を有するものである。
【０１３６】
前記二本鎖ＲＮＡは、例えば、Ｔｕｓｃｈｌ  Ｔら、Ｇｅｎｅｓ  Ｄｅｖ，  １９９９，  １３（２４）：３１９１−３１９７  に記載の方法に従って選択することができる。具体的には、ＰＤＺＫ１遺伝子（配列番号：１）、ＭＣＬ１遺伝子（配列番号：３）、ＫＣＮＮ３遺伝子（配列番号：９）、ＭＧＣ４３６５遺伝子（配列番号：１１）、ＦＬＪ２２５３０遺伝子（配列番号：１３）、ＩＲＴＡ２遺伝子（配列番号：１５）、ＦＬＪ２３２２１遺伝子（配列番号：１７）、Ｓ１００Ａ６遺伝子（配列番号：１９）またはＳＰＡＰ１遺伝子（配列番号：２１）のいずれかに記載の塩基配列の開始コドンの５０から１００ヌクレオチド下流の領域を選択する。次に、選択した領域からＡＡ（Ｎ１９）ＴＴ  またはＡＡ（Ｎ２１）  となる配列を探し、その配列のＧＣ含量を計算する。ＧＣ含量は、少なくとも３０％  から７０％  の間になるものを選択する。このような基準で選択した配列が特定の遺伝子のみをターゲットとして負活性化するかを、ＢＬＡＳＴ（例えばＮＣＢＩのＥＳＴ  データベース）  検索で確認する。
【０１３７】
二本鎖ＲＮＡは、細胞内でｍＲＮＡに結合して、目的遺伝子の発現、即ちＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子またはＳＰＡＰ１遺伝子の発現を抑制することができる。
【０１３８】
本発明のアンチセンスヌクレオチドまたは二本鎖ＲＮＡは、本発明遺伝子の発現抑制作用を通じて、これら遺伝子の増幅に起因する癌の薬剤耐性を低減する効果を有する。
【０１３９】
【実施例】
以下、本発明の実施例を示すが、本発明はこれらの実施例によりなんら限定されるものではない。
【０１４０】
［多発性骨髄腫の細胞株および臨床検体］
ヒト多発性骨髄腫（ＭＭ）細胞株３７種はすべて、臨床検体から樹立したものであり、１０％ウシ胎児血清を補足したＲＰＭＩ−１６４０培地で維持した。２９名の別々の患者から採取したＭＭ臨床検体は、各患者からの書面によるインフォームドコンセントを添付して、大学の倫理委員会の承認を得た後に川崎医科大学病院より供与された。臨床検体は、４．７〜８７．０％（平均４８．９％）の腫瘍細胞を含んでいた。
【０１４１】
［ＣＧＨ解析］
ＣＧＨ（ｃｏｍｐａｒａｔｉｖｅ  ｇｅｎｏｍｉｃ  Ｈｙｂｒｉｄｉｚａｔｉｏｎ）は、Ｋａｌｌｉｏｎｉｅｍｉ  らの方法（Ｓｃｉｅｎｃｅ，  ２５８：  ８１８−８２１，  １９９２）  を多少変更した方法（Ｇｅｎｅｓ  Ｃｈｒｏｍｏｓｏｍｅｓ  Ｃａｎｃｅｒ，  ２９：  ３１５−３２４，  ２０００  ）により、蛍光色素標識ＤＮＡを直接用いて行った。すなわち、腫瘍細胞由来のＤＮＡおよび正常細胞由来のＤＮＡを、ニックトランスレーションによりそれぞれＳｐｅｃｔｒｕｍ  Ｇｒｅｅｎ−ｄＵＴＰ  および  Ｓｐｅｃｔｒｕｍ  Ｏｒａｎｇｅ−ｄＵＴＰ  （Ｖｙｓｉｓ社）  で標識した。標識した腫瘍ＤＮＡおよび正常ＤＮＡを１０μｇ  のＣｏｔ−１  ＤＮＡとともに変性させ、正常オス分裂中期染色体塗抹標本とハイブリダイズさせた。前記標本のスライドを洗浄し、４’，６’−ジアミジノ−２−フェニルインドール（ＤＡＰＩ）で対比染色した。ＣＧＨプロファイルでのシフトは、閾値が少なくとも１．２および０．８に達した場合にそれぞれ増加および減少として評価した。また、蛍光比が１．５を越えた場合は、過剰表示を高レベル増加（ＨＬＧ）とみなした。
【０１４２】
［ＣＧＨ解析の結果］
ＣＧＨにより検出されたＭＭ細胞株におけるＤＮＡコピー数の異常
図１に、３７種のＭＭ細胞株で観察された遺伝子変化の概観を示す。すべての細胞株で、検出可能なコピー数の異常が示された。細胞株当たり異常の平均数は９．３  （範囲、  １  ｔｏ  ２３）  であり、増加および減少の平均数はそれぞれ  ５．６（範囲、  ０  ｔｏ  １４）  および３．８  （範囲、  ０  ｔｏ  １１）  であった。最も高頻度に含まれる増加領域の共通最小領域は、１ｑ１２−ｑ２３  （３７中３１，  ８３．８％），  ７ｑ３１−ｑ３６  （３７中１３，  ３５．１％），  １８ｑ２１−ｑ２３  （３７  中１１，  ２９．７％），  ８ｑ２３−ｑ２４  （３７中１０，  ２７．０％），  １９ｐ  （３７  中９，  ２４．３％）  および１６ｐ１２．１−ｐ１２．２  （３７  中８，  ２１．６％）  であった。一方、減少領域の共通最小領域は、１３ｑ１４−ｑ３２  （３７  中２５，  ６７．６％），  １４ｑ２１−ｑ２４  （３７  中１７，  ４５．９％），  ４ｐおよび４ｑ  （各３７中１０，  ２７．０％）ならびに６ｑ２２−ｑ２３  （３７中８，  ２１．６％）  であった  （図１，表２）。  ＨＬＧの最小領域は、  １ｑ１２−ｑ２１  （３７  中１１，  ２９．７％），  ７ｑ３１−ｑ３２および８ｑ２３−ｑ２４  （各３７中４，  １０．８％  ）で見出された  （表１  ）  。
【０１４３】
【表１】
2004313167.tif 000002
【表２】
2004313167.tif 000003
［ＦＩＳＨ解析］
分裂中期染色体の標本スライドを調製し、ＦＩＳＨ実験に用いた（Ｇｅｎｅｓ  Ｃｈｒｏｍｏｓｏｍｅｓ  Ｃａｎｃｅｒ，  ２９：  ３１５−３２４，  ２０００  、Ｊ．  Ｈｕｍ．  Ｇｅｎｅｔ．，  ４３：  １８７−１９０，  １９９８  ）。対象とする領域内の各細菌人工染色体（ＢＡＣ）の位置は、国立バイオテクノロジーインフォメーションセンター（ＮＣＢＩ，ｈｔｔｐ：／／ｗｗｗ．ｎｃｂｉ．ｎｌｍ．ｎｉｈ．ｇｏｖ／）により格納された情報に従い、正常な分裂中期染色体を用いたＦＩＳＨの結果に応じて確認または修正した。プローブは、ニックトランスレーションによりビオチン−１６−またはジゴキシゲニン−１１−ｄＵＴＰ（  ロシュダイアグノスティックス社）  で標識した。染色体インサイチュサプレッションハイブリダイゼーションおよびハイブリダイゼーションシグナルの蛍光検出は、上記文献に記載のように行った。対象とする領域のコピー数と分子構成は、分裂中期染色体と間期染色体の両方に観察されたハイブリダイゼーションパターンにしたがって評価した。
【０１４４】
［ＦＩＳＨ解析の結果］
ＦＩＳＨによるＭＭ細胞株における１ｑ１２−ｑ２１のアンプリコンの定義付け
前記ＣＧＨ解析でのＨＬＧである１ｑ１２−ｑ２１の増幅領域は、最も頻度が高い最小領域であったので、さらにこの領域について集中的に調べた。  １ｑ１２−ｑ２１  のアンプリコンのマップを詳細に描くため、ＣＧＨ解析で最高強度かつ最小領域の顕著な増加コピー数をもつ３  種類のＭＭ細胞株（ＡＭＯ１，  ＫＭＳ−１１  および  ＫＭ−５）でＦＩＳＨ解析を行った（  図１，  ２Ａ）。ＦＩＳＨ解析のため、１ｑ２１−１ｑ２３  領域を包含する２６の  ＢＡＣおよび１ｑ１２用プローブとして  ｐＵＣ１．７７を選択した（  図２Ｂ，Ｃ）  。１２のＢＡＣ  （６４０Ｍ１６，  ３１５Ｉ２０，  ３７３Ｃ９，  ３００Ｌ２０，  ９４Ｉ２，  ５６５Ｅ６，  ４７Ｄ６，  ３２５Ｐ１５，  ３０１Ｍ１７，  ９１Ｇ１１，  ７６３Ｂ２２および５４Ａ４）  は、ＡＭＯ１細胞株で１５コピーもの高コピーシグナルを産生した  （図  ２Ｂ，Ｃ）。前記と同じ細胞株において、３２５Ｐ１５と３０１Ｍ１７の間に位置する  ３つの  ＢＡＣ  （３３７Ｃ１８，  ５３３Ｎ１４，  および１２３Ｐ３）が  ９コピーであったことに注目すべきである（図２Ｂ，Ｃ）  。別の２  種類の細胞株（ＫＭＳ−１１  および  ＫＭ−５）では、ｐＵＣ１．７７  と２６Ｎ３  （ＫＭＳ−１１）  、およびｐＵＣ１．７７  と１３８Ｆ３  （ＫＭ−５）間で一定のコピー数を示す大きな（  約２５  Ｍｂ）増幅領域が観察された  （図  ２Ｃ）。このようにして、本発明者らは、２  つの共通する影響を受けた領域  （重複最小領域，  ＳＲＯ）  を定義した。ＳＲＯは、１ｑ１２のｐＵＣ１．７７  と３３７Ｃ１８の間の約２  Ｍｂのアンプリコンと、１２３Ｐ３  と１８８Ｍ１１の間の  １．５  Ｍｂ  のアンプリコンであり、ＰＤＺＫ１とＭＣＬ１を保持する領域である  （図  ２）  。ＭＭ患者でのＦＩＳＨ解析により、すべてがアンバランス（  転座または重複）  である１ｑ切断と  １ｑ  転位を伴う１ｑ１２領域での切断が  ８９％の症例で観察され、その結果症例の大半で異常なヘテロクロマチン／真正染色質連結と１ｑマテリアルの増加を生じさせることがわかった（Ｇｅｎｅｓ  Ｃｈｒｏｍｏｓｏｍｅｓ  Ｃａｎｃｅｒ，  ３２：  ２５０−２６４，  ２００１）  。これらの知見と一致して、１９細胞株の内の４  つ（ＡＭＯ１，  ＫＭ７，  ＫＭＳ１１  およびＫＭＳ２０）（２１．０  ％）で、１ｑ１２−ｑ２１領域の切断により形成された派生染色体のタンデム重複が観察され、その詳細な分裂中期染色体は、詳細なＦＩＳＨ解析に利用可能である  （図２Ｂ，  ３Ａ）  。
【０１４５】
実施例１
ＭＭ細胞株におけるリアルタイム定量ポリメラーゼ連鎖反応（ＰＣＲ）
ｍＲＮＡの発現レベルとゲノムＤＮＡのコピー数の定量は、リアルタイム蛍光検出法を用いて行った（Ｂｉｏｔｅｃｈｎｉｑｕｅｓ，  ２２：  １３０−１３８，  １９９７  、Ｂｒ．  Ｊ．  Ｈａｅｍａｔｏｌ．，  １１１：  ６１８−６２５  ２０００  、Ｊｐｎ．  Ｊ．  Ｃａｎｃｅｒ  Ｒｅｓ．，  ９３：  １１１４−１１２２，  ２００２）  。一本鎖相補的ＤＮＡ（  ｃＤＮＡ）  は、ＳｕｐｅｒＳｃｒｉｐｔ  ＴＭ  Ｆｉｒｓｔ−Ｓｔｒａｎｄ  Ｓｙｎｔｈｅｓｉｓ  Ｓｙｓｔｅｍ（  インビトロジェン社）  を用いて製造者の指示に従い、ＭＭ細胞株の全ＲＮＡから作出した。リアルタイム定量ＰＣＲは、ＳＹＢＲ  ＧｒｅｅｎとＬｉｇｈｔＣｙｃｌｅｒ（ロシュダイアグノスティックス社）  を用いて製造者の指示に従って行った。ＰＤＺＫ１遺伝子とＭＣＬ１遺伝子に対するプライマー配列は、必要に応じて合成した。グリセルアルデヒド−３−ホスフェートデヒドロゲナーゼ遺伝子（ＧＡＰＤＨ）をｍＲＮＡ発現レベルの内在性対照とした。各試料中の各遺伝子のｍＲＮＡ発現レベルは、対応するＧＡＰＤＨレベルに基づいて標準化し、相対的発現レベルとして記録した。一方、β−グロビン（ＨＢＢ）は、ゲノムＤＮＡコピー数の解析の内在性対照とした。各腫瘍試料中の各ゲノムのコピー数は、対応するＨＢＢ値で除することにより標準化し、コピー数比として記録した。各試料につき、二連のＰＣＲ増幅を行った。
【０１４６】
［結果：ＭＭ細胞株でのＰＤＺＫ１およびＭＣＬ１の増幅と過剰発現］
１ｑ２１近傍での局所的増加／  増幅は種々の腫瘍での転移表現型または化学療法耐性と関連していることが報告されている。したがって、前記アンプリコン内に位置する標的遺伝子は、そのコピー数が増加することにより活性化され、ＭＭにおける化学療法剤耐性および／またはその他のアポトース性刺激耐性などの悪性表現型に関与しうる。
【０１４７】
細胞の薬剤耐性に寄与すると思われる２  つの候補遺伝子ＰＤＺＫ１およびＭＣＬ１は、ＮＣＢＩデータベースと文献（Ｂｌｏｏｄ，  ９９：  １８８５−１８９３，  ２００２  、Ｂｌｏｏｄ，  １００：  １９４−１９９，  ２００２  、Ｌａｂ．  Ｉｎｖｅｓｔ．，  ７９：  １１６１−１１７０，  １９９９）の検索により明らかになった。ＰＤＺＫ１およびＭＣＬ１が増幅の別箇の標的であるかどうかを決定するために、ＭＭ細胞株におけるこれらの遺伝子の増幅状態と発現レベルを調べた。図３Ａに示すように、遺伝子特異的ＢＡＣ  （ＰＤＺＫ１  に対して３７３Ｃ９  、ＭＣＬ１に対して５４Ａ４）  を用いたＦＩＳＨにより決定したＰＤＺＫ１およびＭＣＬ１のコピー数は、それぞれリアルタイム定量ＰＣＲにより決定された発現レベルと正に相関していた。ＰＤＺＫ１およびＭＣＬ１の増幅を伴う４  つの細胞株  （ＡＭＯ１，  ＫＭＳ−１１，  ＫＭＳ−２１ＢＭ，  および  ＫＭ−５）は、増幅を伴わない細胞株（ＫＭＳ−３４，  ＫＭＳ−１２ＰＥ，  Ｕ２６６，  ＫＭＳ−１２ＢＭ，およびＫＭ−６）  に比べて前記遺伝子の発現レベルが高かった。
【０１４８】
実施例２
ＭＭ臨床検体におけるリアルタイム定量ＰＣＲ
実施例１と同様にして、ＭＭの臨床検体におけるＰＤＺＫ１およびＭＣＬ１遺伝子のＤＮＡコピー数を、２９名の患者から得られたゲノムＤＮＡを用いるリアルタイム定量ＰＣＲにより調べた。まず、二倍体のコピー数の正常コントロールとして、５  名の健常ボランティア由来のＤＮＡで、ＨＢＢで標準化した各遺伝子のコピー数比を決定した。増幅の有無で症例を分けるために、正常コントロールでの各遺伝子のコピー数比の平均＋２ＳＤをカットオフ比として用いた。臨床検体は、４．７  〜８７．０％  （平均４８．９％）の腫瘍細胞しか含んでいなかったけれども、図３Ｂに示すように、ＰＤＺＫ１遺伝子の増幅は、２６症例中９  例で検出された（３４％）  。同様の結果が  ＭＣＬ１遺伝子でも得られた（  データは示さず）  。リアルタイム定量ＰＣＲにより決定されたＫＭＳ−１１細胞株のコピー数比は、症例１８のもの（コピー数比＝４．０８）  と同様であったことが注目に値する。というのは、この症例から  ＫＭＳ−１１  細胞株が樹立されているからである  （図  ３Ｂ）。この結果により、ＰＣＲに基づく方法は、定量的にゲノムのコピー数の変化を評価することができ、この領域の増幅は細胞株の樹立中または樹立後に獲得された人為的なものではないことを意味する。
【０１４９】
実施例３
薬剤感受性の評価およびアンチセンスオリゴヌクレオチド（ＡＳＯ）処理の効果メルファラン（ＭＥＬ）  、シスプラチン（ｃＤＤＰ）、ビンクリスチン（ＶＣＲ）  、デキサメタゾン（ＤＥＸ）  、アドリアマイシン（ＡＤＭ）  、ミトザントロン（ＭＩＴ）  、ダウノルビシン（ＤＮＲ）  、およびサリドマイド（ＴＨＡＬ）は、シグマ社から購入した。前記化学療法剤／細胞傷害剤で誘導した細胞死に対する各ＭＭ細胞株の感受性は、マイクロタイタープレートでの比色アッセイ（Ｃｅｌｌ−ｃｏｕｎｔｉｎｇ  ｋｉｔ−８；  ドウジンドウラボラトリーズ社）  により評価した。前記アッセイは、生細胞がテトラゾリウム塩（ＷＳＴ−８）  を開裂して水溶性ホルマザンにする能力を測定するものである。すなわち、９６ウエル中の３  ×１０４  個のＭＭ細胞を様々な濃度の前記薬剤に４８時間暴露した。ＷＳＴ−８  を培養終了の２  時間前に添加し、マイクロプレートリーダー（Ｂｅｎｃｈｍａｒｋ；  バイオラッドラボラトリーズ社）  を用いて４５０ｎｍ  での吸光度を測定した。実験を３  回繰り返し、各回毎に３  連で行った。
【０１５０】
アンチセンス実験は、Ｈｅｐａｔｏｌｏｇｙ，  ３５：  １４７６−１４８４，  ２００２  に記載の方法に準じて行った。すなわち、ホスホロチオエート骨格を含むオリゴヌクレオチド（  オリゴヌクレオチドホスホロチオエート；エスペックオリゴサービス社）  を下記の配列のように合成した。
【０１５１】
ＰＤＺＫ１−ＡＳ；  ５  ’−ＣＴＧＴＡＣＣＴＣＴＴＴＧＡＴＧＡＡＴＧ−３  ’  （  ＰＤＺＫ１  ｃＤＮＡ  ヌクレオチド  １３０８−１３２７のアンチセンス方向，  ＧｅｎＢａｎｋ  ａｃｃｅｓｓｉｏｎ  ｎｕｍｂｅｒ  ＮＭ  ００２６１４）  （配列番号５）
ＰＤＺＫ１−ＳＣ；  ５  ’−ＧＴＡＡＧＴＡＧＴＴＴＣＴＣＣＡＴＧＴＣ−３  ’  （  ＰＤＺＫ１−ＡＳ１に対するスクランブルコントロール）  （配列番号６）
ＭＣＬ１−ＡＳ；  ５’−ＣＡＴＣＣＣＡＧＣＣＴＣＴＴＴＧＴＴＴＡ−３  ’  （ＭＣＬ１  ｃＤＮＡ  ヌクレオチドのアンチセンス方向，  ＧｅｎＢａｎｋ  Ａｃｃｅｓｓｉｏｎ  ｎｕｍｂｅｒ  ＡＦ１４７７４２）（配列番号７）
ＭＣＬ１−ＳＣ；  ５’−ＡＴＴＴＧＴＴＴＣＴＣＣＧＡＣＣＣＴＡＣ−３  ’  （ＭＣＬ１−ＡＳ１に対するスクランブルコントロール）  （配列番号８）。
【０１５２】
前記オリゴヌクレオチドを、ＯｌｉｇｏｆｅｃｔａｍｉｎｅＴＭ（  インビトロジェン社）  を用いて製造者の指示に従って細胞に送達した。前記オリゴヌクレオチドのトランスフェクション後２４時間目に、前記化学療法剤での処理を開始し、処理後４８時間（  トランスフェクション後７２時間）  目に、前記比色法で生細胞の数を評価した。実験を２  回繰り返し、各回毎に３  連で行った。
【０１５３】
［結果］
ＰＤＺＫ１およびＭＣＬ１の増幅と過剰発現を有する細胞株ＡＭＯ１および  ＫＭＳ−１１  は、増幅と過剰発現のないＫＭＳ−３４および  ＫＭＳ−１２ＰＥ  と比べて、ＭＥＬ，  ｃＤＤＰ，およびＶＣＲ  の細胞傷害性作用に対してより耐性であった  （図  ４Ａ）。一方、前記４  種の細胞株はすべて、ＤＥＸ，  ＡＤＭ，  ＭＩＴ，  ＤＮＲおよびＴＨＡＬに対しては過剰発現と感受性との間の相関が低かった（  図４Ａ）  。
【０１５４】
ＰＤＺＫ１および／またはＭＣＬ１がＭＭ細胞株において化学療法剤誘導性細胞死に対する耐性に応答可能かどうかを試験するため、アンチセンス技術を用いて１ｑ１２−ｑ２１増幅を有するＭＭ細胞株で前記遺伝子のダウンレギュレーションの効果を調べた。ＫＭＳ−１１細胞に送達したＰＤＺＫ１に対するＡＳＯは、この遺伝子のｍＲＮＡ発現を効果的に抑制した  （図４Ｂ）  が、対照オリゴヌクレオチド  （ＰＤＺＫ１−ＳＣ）  はＰＤＺＫ１の発現レベルに影響を与えなかった。ＭＣＬ１に対するＡＳＯも同様の効果を示した  （データ示さず）  。  ＰＤＺＫ１−ＡＳ−処理した  ＫＭＳ−１１  細胞は、ＰＤＺＫ１−ＳＣ−  または  Ｏｌｉｇｏｆｅｃｔａｍｉｎｅ  ＴＭ    単独−  （ｍｏｃｋ−）  処理細胞に比べて、ＭＥＬ−，  ｃＤＤＰ−，または  ＶＣＲ−  誘導性細胞死に対してより感受性が高かった（図４Ｃ）  。このことは、増幅により活性化されたＰＤＺＫ１は、ＭＭ細胞において薬剤耐性に応答可能な分子の少なくとも１  つであることを意味する。他方、ＭＣＬ１に対するＡＳＯは、ＫＭＳ−１１細胞において、ＤＥＸ  に対する感受性を高める効果を示した（データ示さず）  。
【０１５５】
実施例４
前記ＣＧＨ解析でのＨＬＧである１ｑ１２−ｑ２１の増幅領域を含む１ｑ１２−ｑ２２について、ＭＭ細胞株において遺伝子増幅による発現亢進を示す他の遺伝子群を検索するため、ＤＮＡマイクロアレイを用いた遺伝子の発現解析を行なった。
【０１５６】
用いたＤＮＡマイクロアレイは、  ＡｃｅＧｅｎｅＴＭ  Ｈｕｍａｎ  Ｏｌｉｇｏ  ｃｈｉｐ  ３０Ｋ（日立ソフトウェアエンジニアリング社製）  であり、ヒト遺伝子をほぼ網羅する３０，０００遺伝子に対応するオリゴヌクレオチドを搭載したものである。添付のプロトコルにしたがって、実験を行なった。前記ＦＩＳＨ解析の結果１ｑ１２−ｑ２１の増幅領域で高コピー数を示した２  つの細胞株（ＡＭＯ１  およびＫＭＳ−１１）  を培養し、それぞれ５  ×１０７  個の細胞からＩＳＯＧＥＮＴＭ  （日本ジーン社製）  を用いて１５０  μｇのｔｏｔａｌＲＮＡを調製した。コントロールとして、正常Ｂ細胞株（ＬＣＬ）  から同様にしてｔｏｔａｌＲＮＡを調製した。得られたｔｏｔａｌＲＮＡをオリゴｄＴプライマーと混合し、逆転写反応によりアミノアリル−ｄＵＴＰ  を取り込んだｃＤＮＡを合成し、次いでカップリング反応によりＣｙＤｙｅ  で標識し、標的ＤＮＡを調製した。標識した標的ＤＮＡを用いてＤＮＡチップ上でハイブリダイゼーションし、洗浄後蛍光を検出し、蛍光強度を数値化した。高レベルのコピー数を有する１ｑ１２−ｑ２１領域の遺伝子発現のプロファイルを表３に示す。
【０１５７】
【表３】
2004313167.tif 000004
表３より、２  つの細胞株ＡＭＯ１およびＫＭＳ−１１で共に高レベルのコピー数を有する遺伝子群（ＰＤＺＫ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、ＰＤＺＫ１遺伝子、Ｓ１００Ａ６遺伝子、ＳＰＡＰ１遺伝子）  を見出した。ＰＤＺＫ１遺伝子は、前記ＦＩＳＨ解析およびリアルタイムＰＣＲでその発現亢進がすでに確認されており、このことから、ＤＮＡマイクロアレイでの解析により遺伝子増幅に基づく発現亢進を示す遺伝子を網羅的に検出することができることが確認された。
【０１５８】
【発明の効果】
本発明の薬剤耐性マーカーによると、ＰＤＺＫ１（遺伝子）、ＭＣＬ１（遺伝子）、ＫＣＮＮ３（遺伝子）、ＭＧＣ４３６５（遺伝子）、ＦＬＪ２２５３０（遺伝子）、ＩＲＴＡ２（遺伝子）、ＦＬＪ２３２２１（遺伝子）、Ｓ１００Ａ６（遺伝子）またはＳＰＡＰ１（遺伝子）を特異的に検出することにより、ＭＭをはじめとする種々の癌の悪性度の指標となりうる薬剤耐性を検出することができる。前記ＰＤＺＫ１遺伝子を初めとする遺伝子の位置する第１染色体最小領域１ｑ１２−ｑ２１領域は、ＭＭにおいて最高頻度の高レベル増加（ＨＬＧ）を示す最小領域であるとともに、前記領域を含む異常の高罹患率が多数の腫瘍型で観察されていることならびに前記異常が前記腫瘍において腫瘍の進展および／または治療に対する応答に関連していることにより、癌の悪性度に対する有用なマーカーとなりうる。本発明の薬剤耐性マーカーを用いた癌の薬剤耐性の検出方法によれば、癌の化学療法前または療法中に薬剤耐性の獲得の有無を容易に検出することができ、個々の癌患者に対してより適した化学療法を採用する判断が容易になる。本発明の薬剤マーカーを用いるＰＤＺＫ１（遺伝子）  、ＭＣＬ１（遺伝子）  、ＫＣＮＮ３（遺伝子）  、ＭＧＣ４３６５（遺伝子）  、ＦＬＪ２２５３０（遺伝子）  、ＩＲＴＡ２（遺伝子）  、ＦＬＪ２３２２１（遺伝子）  、Ｓ１００Ａ６（遺伝子）  、またはＳＰＡＰ１（遺伝子）  の発現を抑制する物質のスクリーニング方法によれば、薬剤耐性を抑制する薬剤候補を選択することが容易になり、このような候補物質に基づいて薬剤耐性を抑制する医薬品の開発が促進される。本発明のアンチセンスヌクレオチドまたは二本鎖ＲＮＡによると、ＰＤＺＫ１遺伝子、ＭＣＬ１遺伝子、ＫＣＮＮ３遺伝子、ＭＧＣ４３６５遺伝子、ＦＬＪ２２５３０遺伝子、ＩＲＴＡ２遺伝子、ＦＬＪ２３２２１遺伝子、Ｓ１００Ａ６遺伝子、またはＳＰＡＰ１遺伝子の増幅に起因する薬剤耐性を示す癌においてこれら遺伝子の発現を特異的に抑制することができ、薬剤耐性を抑制する効果を奏する。
【０１５９】
【配列表】
2004313167.tif 000005
2004313167.tif 000006
2004313167.tif 000007
2004313167.tif 000008
2004313167.tif 000009
2004313167.tif 000010
2004313167.tif 000011
2004313167.tif 000012
2004313167.tif 000013
2004313167.tif 000014
2004313167.tif 000015
2004313167.tif 000016
2004313167.tif 000017
2004313167.tif 000018
2004313167.tif 000019
2004313167.tif 000020
2004313167.tif 000021
2004313167.tif 000022
2004313167.tif 000023
2004313167.tif 000024
2004313167.tif 000025
2004313167.tif 000026
2004313167.tif 000027
2004313167.tif 000028
2004313167.tif 000029
2004313167.tif 000030
2004313167.tif 000031
2004313167.tif 000032
2004313167.tif 000033
2004313167.tif 000034
2004313167.tif 000035
2004313167.tif 000036
2004313167.tif 000037
2004313167.tif 000038
2004313167.tif 000039
2004313167.tif 000040
2004313167.tif 000041
2004313167.tif 000042
2004313167.tif 000043
2004313167.tif 000044
2004313167.tif 000045
2004313167.tif 000046
【図面の簡単な説明】
【図１】３７種のＭＭ細胞株においてＣＧＨにより検出されたゲノム不均衡の概要図。２２個の常染色体およびＸ染色体は、Ｇ−バンディングパターンを示すイディオグラムにより表わす。各イディオグラムの左側に位置する垂線は、示した細胞株におけるゲノムマテリアルの減少を示し、右側に位置する垂線は、コピー数の増加に相当する。高レベル増加（ＨＬＧ）は、白抜き矩形で示す。各垂線の上方に示す数字は、それぞれ変化を記録した細胞株に相当する（表１を参照）。
【図２】ＭＭ細胞株における  １ｑ１２−ｑ２１  領域のアンプリコンマップを示す図。
図２Ａ、１ｑ１２−ｑ２１領域で異なる増幅を示すＡＭＯ１細胞株の第１染色体の代表的ＣＧＨイメージ（左図）および対応する緑色（増加）と赤色（減少）のプロファイル（右図）。
図２Ｂ、ＡＭＯ１細胞由来の分裂中期染色体でのＦＩＳＨ解析の代表的イメージ。当該イメージは  ＲＰ１１−３１５Ｉ２０  （１ｑ２１）との１５コピー（左図）  およびｐＵＣ１．７７  （１ｑ１２  特異的プローブ）との４コピー（右図）を示す。
図２Ｃ、３つの異なる細胞株におけるＦＩＳＨによる１ｑ１２−ｑ２４でのＤＮＡコピー数解析の結果を要約したグラフ。縦軸は、水平軸で示したＢＡＣプローブで得られたＦＩＳＨシグナルを示す。３つの細胞株において最高かつ共通の増幅を有する重複の最小領域（ＳＲＯ）は、黒塗り矢印で示す。各ＢＡＣの位置および長さは、ＮＣＢＩにより格納された情報から編集した。また、ＰＤＺＫ１とＭＣＬ１の位置も下端に示す。
【図３】ＭＭ細胞株におけるＰＤＺＫ１とＭＣＬ１のコピー数と発現レベルとの相関ならびにＭＭの臨床検体におけるＰＤＺＫ１のコピー数を示す図。
図３Ａ、ＰＤＺＫ１遺伝子（左）とＭＣＬ１遺伝子（右）のコピー数と相対的発現レベルとの相関を、９種のＭＭ細胞株で決定した。ＤＮＡコピー数はＦＩＳＨで決定し、相対的発現レベルは  １ｑ１２−ｑ２１  の増幅を有する４種の増幅細胞株（  ＡＭＯ１  （  ●），  ＫＭＳ−１１  （  ◆），  ＫＭＳ−２１ＢＭ  （  ■），および  ＫＭ−５  （  ▲）  ）ならびに増幅のない５種の細胞株（ＫＭＳ−３４  （○），  ＫＭＳ−１２ＰＥ  （  ◇），  Ｕ２６６  （  □），  ＫＭＳ−１２ＢＭ  （  △），および  ＫＭ−６  （  ▽））でリアルタイム定量ＰＣＲにより決定した。
図３Ｂ、２９種のＭＭ臨床検体におけるＰＤＺＫ１のコピー数比は、リアルタイム定量ＰＣＲにより決定された。各試料のゲノムＤＮＡにおけるＰＤＺＫ１遺伝子の存在量は、対応する内在性対照ＨＢＢ値により標準化し、コピー数比として記録した。５名の別々の健常ボランティア由来のＤＮＡを正常コントロール（Ｎ）として使用した。
棒線；正常コントロールの平均＋ＳＤ。横線；コピー数増加に関するカットオフ比を示す平均＋２−  ＳＤ。ＣＣ；相関係数、Ｐ；確率。
【図４】１ｑ１２−ｑ２１増幅を有するＭＭ細胞はＡＳＯを用いるＰＤＺＫ１発現のダウンレギュレーションにより薬剤に感受性となることを示す図。
図４Ａ、１ｑ１２−ｑ２１増幅細胞株  ＡＭＯ１（●）  およびＫＭＳ−１１（  ■）  、ならびに非増幅細胞株  ＫＭＳ−３４（○）  およびＫＭＳ−１２ＰＥ（  □）  におけるＭＥＬ−，  ｃＤＤＰ−，  ＶＣＲ−，  ＤＥＸ−，  ＡＤＭ−，  ＤＮＲ−，  ＭＩＴ−  およびＴＨＡＬ−  誘導性細胞死に対する用量応答曲線。細胞の生存は、マイクロタイタープレート比色アッセイにより評価した。各点は、３  つの別々の実験の平均値を示す。１００％は、薬剤なし（  賦形剤のみ）  での平均値に相当する。各薬剤に対する各細胞株の  ＩＣ５０  値を示す。
図４Ｂ、ＡＳＯによるＰＤＺＫ１のｍＲＮＡ発現レベルの特異的ダウンレギュレーション。細胞をＡＳＯ（ＡＳ）、対照オリゴヌクレオチド（  ＳＣ）  または  Ｏｌｉｇｏｆｅｃｔａｍｉｎｅ  ＴＭ単独（ｍｏｃｋ）でトランスフェクションした。ｍＲＮＡレベルの定量は、リアルタイム定量ＰＣＲによりトランスフェクション後２４時間で決定した。棒線；ＳＤ。ａ：Ｐ＜０．０５（  対ｍｏｃｋ），    ｂ：Ｐ＜０．０５（  対ＳＣ）  。
図４Ｃ、ＰＤＺＫ１−ＡＳＯにより処理したＫＭＳ−１１細胞を各薬剤の存在下  （ＭＥＬ  １０μｇ／ｍｌ，  ＶＣＲ  ０．０１μｇ／ｍｌ，  および  ｃＤＤＰ  ３００  ｎｇ／ｍｌ）または非存在下に４８時間インキュベートした。各値は、３  つの別々の実験の平均値を示し、各実験は三連で行った。１００％は、薬剤なし（  賦形剤のみ）  での平均値に相当する。棒線；ＳＤ。ａ：Ｐ＜０．０５（  対ｍｏｃｋ），    ｂ：Ｐ＜０．０５（  対ＳＣ）  。
【図１】
2004313167.tif 000047
【図２】
2004313167.tif 000048
【図３】
2004313167.tif 000049
【図４】
2004313167.tif 000050